(57)【要約】  本開示は、符号化または復号における符号量を削減することができるようにする画像処理装置および方法に関する。タイプ設定部は、デブロック後画素値を用いて、LCU単位で、Ｙ，Ｃｂ，Ｃｒのコンポーネント間で共通であるフィルタのタイプを設定し、シンタクス書き込み部に供給する。オフセット設定部は、デブロック後画素値を用いて、LCU単位で、Ｙ，Ｃｂ，Ｃｒの各コンポーネントで独立したオフセットを設定する。SAO制御情報設定部は、オフセット設定部からのオフセットを参照して設定されるマージフラグ、またはオフセットをシンタクス書き込み部に供給する。本開示は、例えば、画像処理装置に適用することができる。
2014002822.tif 000002
【特許請求の範囲】
【請求項１】
適応オフセットフィルタのタイプを画像のコンポーネント間で共通に設定する設定部と、
前記設定部により設定された適応オフセットフィルタのタイプに従って、前記画像を符号化する際にローカル復号処理された画像に適応オフセットフィルタを行う適応オフセットフィルタ部と、
前記適応オフセットフィルタ部により適応オフセットフィルタが行われた画像を用いて、前記画像を符号化処理して、符号化ストリームを生成する符号化部と
を備える画像処理装置。
【請求項２】
前記設定部は、前記適応オフセットフィルタのタイプを、前記画像の輝度成分と色差成分とで共通に設定する
請求項１に記載の画像処理装置。
【請求項３】
前記設定部は、前記適応オフセットフィルタのタイプを、前記画像の色差成分間で共通に設定する
請求項１に記載の画像処理装置。
【請求項４】
前記設定部は、前記適応オフセットフィルタのタイプを、第１の色差成分と第２の色差成分とで共通に設定する
請求項３に記載の画像処理装置。
【請求項５】
前記設定部は、前記第１の色差成分に対する適応オフセットフィルタのタイプをバンドオフセットに設定する場合に、前記第２の色差成分に対する適応オフセットフィルタのタイプをバンドオフセットに設定する
請求項４に記載の画像処理装置。
【請求項６】
前記設定部は、前記第１の色差成分に対する適応オフセットフィルタのタイプをエッジオフセットに設定する場合に、前記第２の色差成分に対する適応オフセットフィルタのタイプをエッジオフセットに設定する
請求項４に記載の画像処理装置。
【請求項７】
前記設定部は、前記適応オフセットフィルタのタイプをエッジオフセットに設定する場合に、エッジオフセットのパターン規則を前記画像の色差成分間で共通に設定する
請求項４に記載の画像処理装置。
【請求項８】
前記設定部は、前記第１の色差成分に対する適応オフセットフィルタのタイプをエッジオフセットの１次元パターンに設定する場合に、前記第２の色差成分に対する適応オフセットフィルタのタイプをエッジオフセットの１次元パターンに設定する
請求項７に記載の画像処理装置。
【請求項９】
前記設定部は、前記第１の色差成分に対するオフセットフィルタのタイプをエッジオフセットの２次元パターンに設定する場合に、前記第２の色差成分に対するオフセットフィルタのタイプをエッジオフセットの２次元パターンに設定する
請求項７に記載の画像処理装置。
【請求項１０】
前記設定部は、前記第１の色差成分に対するオフセットフィルタのタイプを、オフセットを適用しないタイプに設定する場合に、前記第２の色差成分に対するオフセットフィルタのタイプを、オフセットを適用しないタイプに設定する
請求項４に記載の画像処理装置。
【請求項１１】
前記画像のカラースペースは、Ｙ／Ｃｂ／Ｃｒフォーマットである
請求項１に記載の画像処理装置。
【請求項１２】
ローカル復号処理された画像にデブロッキングフィルタを行うデブロッキングフィルタ部を
さらに備え、
前記適応オフセットフィルタ部は、前記デブロッキングフィルタ部によりデブロッキングフィルタが行われた画像に適応オフセットフィルタを行う
請求項１に記載の画像処理装置。
【請求項１３】
前記設定部は、Current符号化単位に隣接する隣接符号化単位と同じオフセットである場合に、前記隣接符号化単位のオフセットを、Current符号化単位として設定する
請求項１に記載の画像処理装置。
【請求項１４】
適応オフセットフィルタのタイプを画像のコンポーネント間で共通に設定し、
設定された適応オフセットフィルタのタイプに従って、前記画像を符号化する際にローカル復号処理された画像に適応オフセットフィルタを行い、
適応オフセットフィルタが行われた画像を用いて、前記画像を符号化処理して、符号化ストリームを生成する
画像処理方法。
【請求項１５】
画像のコンポーネント間で共通である適応オフセットフィルタのタイプを示すタイプ情報を設定する設定部と、
画像のコンポーネント間で共通である適応オフセットフィルタのタイプに従って、前記画像を符号化する際にローカル復号処理された画像に適応オフセットフィルタを行う適応オフセットフィルタ部と、
前記適応オフセットフィルタ部により適応オフセットフィルタが行われた画像を用いて、前記画像を符号化処理して、符号化ストリームを生成する符号化部と、
前記設定部により設定されたタイプ情報と、前記符号化部により生成された符号化ストリームとを伝送する伝送部と
を備える画像処理装置。
【請求項１６】
前記適応オフセットフィルタのタイプは、前記画像の色差成分間で共通である
請求項１５に記載の画像処理装置。
【請求項１７】
前記適応オフセットフィルタのタイプは、第１の色差成分と第２の色差成分とで共通である
請求項１６に記載の画像処理装置。
【請求項１８】
前記設定部は、前記タイプ情報を、最大符号化単位毎に設定する
請求項１６に記載の画像処理装置。
【請求項１９】
ローカル復号処理された画像にデブロッキングフィルタを行うデブロッキングフィルタ部を
さらに備え、
前記適応オフセットフィルタ部は、前記デブロッキングフィルタ部によりデブロッキングフィルタが行われた画像に適応オフセットフィルタを行う
請求項１５に記載の画像処理装置。
【請求項２０】
画像のコンポーネント間で共通である適応オフセットフィルタのタイプを示すタイプ情報を設定し、
画像のコンポーネント間で共通である適応オフセットフィルタのタイプに従って、前記画像を符号化する際にローカル復号処理された画像に適応オフセットフィルタを行い、
適応オフセットフィルタが行われた画像を用いて、前記画像を符号化処理して、符号化ストリームを生成し、
設定されたタイプ情報と、生成された符号化ストリームとを伝送する
画像処理方法。
【発明の詳細な説明】
【技術分野】
【０００１】
本開示は、画像処理装置および方法に関し、特に、適応オフセットフィルタの制御に必要な符号量を削減することができるようにした画像処理装置および方法に関する。
【背景技術】
【０００２】
近年、画像情報をデジタルとして取り扱い、その際、効率の高い情報の伝送、蓄積を目的とし、画像情報特有の冗長性を利用して、離散コサイン変換等の直交変換と動き補償により圧縮する符号化方式を採用して画像を圧縮符号する装置が普及しつつある。この符号化方式には、例えば、MPEG（Moving Picture Experts Group）やH．264及びMPEG-4 Part10 （Advanced Video Coding、以下H．264/AVCと記す）などがある。【０００３】
そして、現在、H．264/AVCより更なる符号化効率の向上を目的として、ITU-TとISO/IECとの共同の標準化団体であるJCTVC (Joint Collaboration Team - Video Coding) により、HEVC (High Efficiency Video Coding) と呼ばれる符号化方式の標準化が進められている（例えば、非特許文献１参照）。【０００４】
現時点におけるHEVCのドラフトでは、適応オフセットフィルタ(Sample Adaptive Offset:SAO)が採用されている。適応オフセットフィルタにおいて、Ｙ，Ｃｂ，Ｃｒのコンポーネント間の制御信号は、全て独立して伝送されている。【０００５】
これに対して、非特許文献２において、コンポーネント間のON/OFF制御信号を１つのシンタクスで置き換えて伝送し、フィルタのタイプや係数については、コンポーネント間で独立して伝送するという提案が行われている。
【先行技術文献】
【非特許文献】
【０００６】
【非特許文献１】Benjamin Bross, Woo-Jin Han, Jens-Rainer Ohm, Gary J. Sullivan, Thomas Wiegand," High efficiency video coding (HEVC) text specification draft 7 ", JCTVC-I1003 ver3, 2012.6.1
【非特許文献２】Woo-Shik Kim,Do-Kyoung Kwon,In Suk Chong,Marta Karczewicz,”LCU SAO Enable Flag Coding ”,JCTVC-I0193,Joint Collaborative Team on Video Coding (JCT-VC)of ITU-T SG16 WP3 and ISO/IEC JTC1/SC29/WG11 9th Meeting: Geneva, CH,27 April-7 May,2012
【発明の概要】
【発明が解決しようとする課題】
【０００７】
しかしながら、上述した提案においては、Ｙ，Ｃｂ，Ｃｒのコンポーネント間で独立にタイプ情報を伝送しているため、適応オフセットフィルタの制御に必要な符号量が多かった。【０００８】
本開示は、このような状況に鑑みてなされたものであり、適応オフセットフィルタの制御に必要な符号量を削減することができる。
【課題を解決するための手段】
【０００９】
本開示の第１の側面の画像処理装置は、適応オフセットフィルタのタイプを画像のコンポーネント間で共通に設定する設定部と、前記設定部により設定された適応オフセットフィルタのタイプに従って、前記画像を符号化する際にローカル復号処理された画像に適応オフセットフィルタを行う適応オフセットフィルタ部と、前記適応オフセットフィルタ部により適応オフセットフィルタが行われた画像を用いて、前記画像を符号化処理して、符号化ストリームを生成する符号化部とを備える。【００１０】
前記設定部は、前記適応オフセットフィルタのタイプを、前記画像の輝度成分と色差成分とで共通に設定することができる。【００１１】
前記設定部は、前記適応オフセットフィルタのタイプを、前記画像の色差成分間で共通に設定することができる。【００１２】
前記設定部は、前記適応オフセットフィルタのタイプを、第１の色差成分と第２の色差成分とで共通に設定することができる。【００１３】
前記設定部は、前記第１の色差成分に対する適応オフセットフィルタのタイプをバンドオフセットに設定する場合に、前記第２の色差成分に対する適応オフセットフィルタのタイプをバンドオフセットに設定することができる。【００１４】
前記設定部は、前記第１の色差成分に対する適応オフセットフィルタのタイプをエッジオフセットに設定する場合に、前記第２の色差成分に対する適応オフセットフィルタのタイプをエッジオフセットに設定することができる。【００１５】
前記設定部は、前記適応オフセットフィルタのタイプをエッジオフセットに設定する場合に、エッジオフセットのパターン規則を前記画像の色差成分間で共通に設定することができる。【００１６】
前記設定部は、前記適応オフセットフィルタのタイプをエッジオフセットに設定する場合に、エッジオフセットのパターン規則を前記画像の色差成分間で共通に設定することができる。【００１７】
前記設定部は、前記第１の色差成分に対するオフセットフィルタのタイプを、オフセットを適用しないタイプに設定する場合に、前記第２の色差成分に対するオフセットフィルタのタイプを、オフセットを適用しないタイプに設定する。【００１８】
ローカル復号処理された画像にデブロッキングフィルタを行うデブロッキングフィルタ部をさらに備え、前記適応オフセットフィルタ部は、前記デブロッキングフィルタ部によりデブロッキングフィルタが行われた画像に適応オフセットフィルタを行うことができる。【００１９】
前記設定部は、Current符号化単位に隣接する隣接符号化単位と同じオフセットである場合に、前記隣接符号化単位のオフセットを、Current符号化単位として設定することができる。【００２０】
本開示の第１の側面の画像処理方法は、適応オフセットフィルタのタイプを画像のコンポーネント間で共通に設定し、設定された適応オフセットフィルタのタイプに従って、前記画像を符号化する際にローカル復号処理された画像に適応オフセットフィルタを行い、適応オフセットフィルタが行われた画像を用いて、前記画像を符号化処理して、符号化ストリームを生成する。【００２１】
本開示の第２の側面の画像処理装置は、画像のコンポーネント間で共通である適応オフセットフィルタのタイプを示すタイプ情報を設定する設定部と、画像のコンポーネント間で共通である適応オフセットフィルタのタイプに従って、前記画像を符号化する際にローカル復号処理された画像に適応オフセットフィルタを行う適応オフセットフィルタ部と、前記適応オフセットフィルタ部により適応オフセットフィルタが行われた画像を用いて、前記画像を符号化処理して、符号化ストリームを生成する符号化部と、前記設定部により設定されたタイプ情報と、前記符号化部により生成された符号化ストリームとを伝送する伝送部とを備える。【００２２】
前記適応オフセットフィルタのタイプは、前記画像の色差成分間で共通である。【００２３】
前記適応オフセットフィルタのタイプは、第１の色差成分と第２の色差成分とで共通である。【００２４】
前記設定部は、前記タイプ情報を、最大符号化単位毎に設定することができる。【００２５】
ローカル復号処理された画像にデブロッキングフィルタを行うデブロッキングフィルタ部をさらに備え、前記適応オフセットフィルタ部は、前記デブロッキングフィルタ部によりデブロッキングフィルタが行われた画像に適応オフセットフィルタを行うことができる。【００２６】
本開示の第２の側面の画像処理方法は、画像のコンポーネント間で共通である適応オフセットフィルタのタイプを示すタイプ情報を設定し、画像のコンポーネント間で共通である適応オフセットフィルタのタイプに従って、前記画像を符号化する際にローカル復号処理された画像に適応オフセットフィルタを行い、適応オフセットフィルタが行われた画像を用いて、前記画像を符号化処理して、符号化ストリームを生成し、設定されたタイプ情報と、生成された符号化ストリームとを伝送する。【００２７】
本開示の第１の側面においては、適応オフセットフィルタのタイプが画像のコンポーネント間で共通に設定されて、設定された適応オフセットフィルタのタイプに従って、前記画像を符号化する際にローカル復号処理された画像に適応オフセットフィルタが行われる。そして、適応オフセットフィルタが行われた画像を用いて、前記画像が符号化処理されて、符号化ストリームが生成される。【００２８】
本開示の第２の側面においては、画像のコンポーネント間で共通である適応オフセットフィルタのタイプを示すタイプ情報が設定され、画像のコンポーネント間で共通である適応オフセットフィルタのタイプに従って、前記画像を符号化する際にローカル復号処理された画像に適応オフセットフィルタが行われる。そして、適応オフセットフィルタが行われた画像を用いて、前記画像が符号化処理されて、符号化ストリームを生成し、設定されたタイプ情報と、生成された符号化ストリームとが伝送される。【００２９】
なお、上述の画像処理装置は、独立した装置であっても良いし、１つの画像符号化装置または画像復号装置を構成している内部ブロックであってもよい。
【発明の効果】
【００３０】
本開示の第１の側面によれば、画像を符号化することができる。特に、符号量を削減することができる。【００３１】
本開示の第２の側面によれば、画像を符号化し、伝送することができる。特に、符号量を削減することができる。
【図面の簡単な説明】
【００３２】
【図１】画像符号化装置の主な構成例を示すブロック図である。
【図２】符号化処理の流れの例を説明するフローチャートである。
【図３】画像復号装置の主な構成例を示すブロック図である。
【図４】復号処理の流れの例を説明するフローチャートである。
【図５】バンドオフセットを説明する図である。
【図６】エッジオフセットを説明する図である。
【図７】エッジオフセットの規則一覧表を示す図である。
【図８】従来のＳＡＯ制御情報伝送処理を説明するフローチャートである。
【図９】本開示を適用した適応オフセットフィルタの構成例を示すブロック図である。
【図１０】適応オフセットフィルタ処理を説明するフローチャートである。
【図１１】ＳＡＯ制御情報設定処理を説明するフローチャートである。
【図１２】ＳＡＯ制御情報伝送処理を説明するフローチャートである。
【図１３】本開示を適用した適応オフセットフィルタの他の構成例を示すブロック図である。
【図１４】適応オフセットフィルタ処理を説明するフローチャートである。
【図１５】ＳＡＯ制御情報伝送処理を説明するフローチャートである。
【図１６】本開示を適用した適応オフセットフィルタの構成例を示すブロック図である。
【図１７】適応オフセットフィルタ処理を説明するフローチャートである。
【図１８】ＳＡＯ制御情報受け取り処理を説明するフローチャートである。
【図１９】本開示を適用した適応オフセットフィルタの他の構成例を示すブロック図である。
【図２０】適応オフセットフィルタ処理を説明するフローチャートである。
【図２１】多視点画像符号化方式の例を示す図である。
【図２２】本開示を適用した多視点画像符号化装置の主な構成例を示す図である。
【図２３】本開示を適用した多視点画像復号装置の主な構成例を示す図である。
【図２４】階層画像符号化方式の例を示す図である。
【図２５】本開示を適用した階層画像符号化装置の主な構成例を示す図である。
【図２６】本開示を適用した階層画像復号装置の主な構成例を示す図である。
【図２７】コンピュータの主な構成例を示すブロック図である。
【図２８】テレビジョン装置の概略的な構成の一例を示すブロック図である。
【図２９】携帯電話機の概略的な構成の一例を示すブロック図である。
【図３０】記録再生装置の概略的な構成の一例を示すブロック図である。
【図３１】撮像装置の概略的な構成の一例を示すブロック図である。
【発明を実施するための形態】
【００３３】
以下、本開示を実施するための形態（以下実施の形態とする）について説明する。なお、説明は以下の順序で行う。
１．装置および動作の概要
２．従来の手法の説明
３．第１の実施の形態（画像処理装置（符号化側））
４．第２の実施の形態（画像処理装置（復号側））
５．第３の実施の形態（多視点画像符号化・多視点画像復号装置）
６．第４の実施の形態（階層画像符号化・階層画像復号装置）
７．第５の実施の形態（コンピュータ）
８．応用例
【００３４】
＜１．装置および動作の概要＞
［画像符号化装置の構成例］
図１は、本開示を適用した画像処理装置としての画像符号化装置の一実施の形態の構成を表している。
【００３５】
図１に示される画像符号化装置１１は、予測処理を用いて画像データを符号化する。ここで、符号化方式としては、例えば、HEVC（High Efficiency Video Coding）方式などが用いられる。
【００３６】
なお、HEVC方式においては、コーディングユニット（CU（Coding Unit））が規定されている。CUは、Coding Tree Block（CTB）とも呼ばれ、H．264/AVC方式におけるマクロブロックと同様の役割を果たす、ピクチャ単位の画像の部分領域である。後者は、１６×１６画素の大きさに固定されているのに対し、前者の大きさは固定されておらず、それぞれのシーケンスにおいて、画像圧縮情報中において指定されることになる。
【００３７】
例えば、出力となる符号化データに含まれるシーケンスパラメータセット（SPS（Sequence Parameter Set））において、CUの最大サイズ（LCU（Largest Coding Unit））と最小サイズ（（SCU（Smallest Coding Unit））が規定される。
【００３８】
それぞれのLCU内においては、SCUのサイズを下回らない範囲で、split-flag=1とすることにより、より小さなサイズのCUに分割することができる。２Ｎ×２Ｎの大きさのCUは、split_flagの値が「１」である時、１つ下の階層となる、Ｎ×Ｎの大きさのCUに分割される。
【００３９】
更に、CUは、イントラ若しくはインター予測処理の対象となる領域（ピクチャ単位の画像の部分領域）であるプレディクションユニット（Prediction Unit（PU））に分割され、また、直交変換処理の対象となる領域（ピクチャ単位の画像の部分領域）である、トランスフォームユニット（Transform Unit（TU））に分割される。現在、HEVC方式においては、４×４及び８×８に加え、１６×１６及び３２×３２直交変換を用いることが可能である。
【００４０】
図１の例において、画像符号化装置１１は、A/D（Analog / Digital）変換部２１、画面並べ替えバッファ２２、演算部２３、直交変換部２４、量子化部２５、可逆符号化部２６、および蓄積バッファ２７を有する。また、画像符号化装置１１は、逆量子化部２８、逆直交変換部２９、演算部３０、デブロッキングフィルタ３１、フレームメモリ３２、選択部３３、イントラ予測部３４、動き予測・補償部３５、予測画像選択部３６、およびレート制御部３７を有する。
【００４１】
さらに、画像符号化装置１１は、デブロッキングフィルタ３１とフレームメモリ３２との間に、適応オフセットフィルタ４１および適応ループフィルタ４２を有する。
【００４２】
A/D変換部２１は、入力された画像データをA/D変換し、画面並べ替えバッファ２２に出力し、記憶させる。
【００４３】
画面並べ替えバッファ２２は、記憶した表示の順番のフレームの画像を、GOP（Group of Picture）構造に応じて、符号化のためのフレームの順番に並べ替える。画面並べ替えバッファ２２は、フレームの順番を並び替えた画像を、演算部２３に供給する。また、画面並べ替えバッファ２２は、フレームの順番を並び替えた画像を、イントラ予測部３４および動き予測・補償部３５にも供給する。
【００４４】
演算部２３は、画面並べ替えバッファ２２から読み出された画像から、予測画像選択部３６を介してイントラ予測部３４若しくは動き予測・補償部３５から供給される予測画像を減算し、その差分情報を直交変換部２４に出力する。
【００４５】
例えば、イントラ符号化が行われる画像の場合、演算部２３は、画面並べ替えバッファ２２から読み出された画像から、イントラ予測部３４から供給される予測画像を減算する。また、例えば、インター符号化が行われる画像の場合、演算部２３は、画面並べ替えバッファ２２から読み出された画像から、動き予測・補償部３５から供給される予測画像を減算する。
【００４６】
直交変換部２４は、演算部２３から供給される差分情報に対して、離散コサイン変換、カルーネン・レーベ変換等の直交変換を施し、その変換係数を量子化部２５に供給する。
【００４７】
量子化部２５は、直交変換部２４が出力する変換係数を量子化する。量子化部２５は、量子化された変換係数を可逆符号化部２６に供給する。
【００４８】
可逆符号化部２６は、その量子化された変換係数に対して、可変長符号化、算術符号化等の可逆符号化を施す。
【００４９】
可逆符号化部２６は、イントラ予測モードを示す情報などのパラメータをイントラ予測部３４から取得し、インター予測モードを示す情報や動きベクトル情報などのパラメータを動き予測・補償部３５から取得する。
【００５０】
可逆符号化部２６は、量子化された変換係数を符号化するとともに、取得した各パラメータ（シンタクス要素）を符号化し、符号化データのヘッダ情報の一部とする（多重化する）。可逆符号化部２６は、符号化して得られた符号化データを蓄積バッファ２７に供給して蓄積させる。
【００５１】
例えば、可逆符号化部２６においては、可変長符号化または算術符号化等の可逆符号化処理が行われる。可変長符号化としては、CAVLC（Context-Adaptive Variable Length Coding）などがあげられる。算術符号化としては、CABAC（Context-Adaptive Binary Arithmetic Coding）などがあげられる。
【００５２】
蓄積バッファ２７は、可逆符号化部２６から供給された符号化ストリーム（データ）を、一時的に保持し、所定のタイミングにおいて、符号化された符号化画像として、例えば、後段の図示せぬ記録装置や伝送路などに出力する。すなわち、蓄積バッファ２７は、符号化ストリームを伝送する伝送部でもある。
【００５３】
また、量子化部２５において量子化された変換係数は、逆量子化部２８にも供給される。逆量子化部２８は、その量子化された変換係数を、量子化部２５による量子化に対応する方法で逆量子化する。逆量子化部２８は、得られた変換係数を、逆直交変換部２９に供給する。
【００５４】
逆直交変換部２９は、供給された変換係数を、直交変換部２４による直交変換処理に対応する方法で逆直交変換する。逆直交変換された出力（復元された差分情報）は、演算部３０に供給される。
【００５５】
演算部３０は、逆直交変換部２９より供給された逆直交変換結果、すなわち、復元された差分情報に、予測画像選択部３６を介してイントラ予測部３４若しくは動き予測・補償部３５から供給される予測画像を加算し、局部的に復号された画像（復号画像）を得る。
【００５６】
例えば、差分情報が、イントラ符号化が行われる画像に対応する場合、演算部３０は、その差分情報にイントラ予測部３４から供給される予測画像を加算する。また、例えば、差分情報が、インター符号化が行われる画像に対応する場合、演算部３０は、その差分情報に動き予測・補償部３５から供給される予測画像を加算する。
【００５７】
その加算結果である復号画像は、デブロッキングフィルタ３１およびフレームメモリ３２に供給される。
【００５８】
デブロッキングフィルタ３１は、適宜デブロックフィルタ処理を行うことにより復号画像のブロック歪を除去する。デブロッキングフィルタ３１は、そのフィルタ処理結果を適応オフセットフィルタ４１に供給する。
【００５９】
適応オフセットフィルタ４１は、デブロッキングフィルタ３１によるフィルタ後の画像に対して、主にリンギングを除去するオフセットフィルタ(SAO: Sample adaptive offset)処理を行う。適応オフセットフィルタ４１は、フィルタ処理後の画像を、適応ループフィルタ４２に供給する。
【００６０】
オフセットフィルタの種類は、バンドオフセット２種類、エッジオフセット６種類、オフセットなしの計９種類がある。適応オフセットフィルタ４１は、スライス毎に各コンポーネントのON/OFFを示す情報、最大の符号化単位であるLCU毎にオフセットフィルタの種類（タイプ）とオフセット（値）を設定する。なお、そのうち、フィルタのタイプは、Ｙ，Ｃｂ，Ｃｒのコンポーネント（成分）間で共通に設定される。適応オフセットフィルタ４１は、設定したタイプとオフセットを用いて、デブロッキングフィルタ３１によるフィルタ後の画像に対して、フィルタ処理を施す。なお、以下、輝度信号がＹであり、色差信号がＣｂ，Ｃｒであるカラースペースの場合を例に説明する。すなわち、単に、Ｙ，Ｃｂ，Ｃｒと記載するが、Ｙは、輝度成分を表し、Ｃｂは、Ｃｂ色差成分を表し、Ｃｒは、Ｃｒ色差成分を表す。
【００６１】
また、適応オフセットフィルタ４１は、設定したタイプを示す情報を、可逆符号化部２６に供給し、符号化させる。適応オフセットフィルタ４１においては、上述したオフセットがフィルタの係数である。以下、適宜、オフセットを係数とも称する。なお、適応オフセットフィルタ４１の詳細は、図９に後述される。
【００６２】
適応ループフィルタ４２は、例えば、最大の符号化単位であるLCU毎に、適応ループフィルタ（ALF:AdaptiveLoop Filter)処理を行う。適応ループフィルタ４２においては、フィルタとして、例えば、２次元のウィナーフィルタ（Wiener Filter）が用いられる。もちろん、ウィナーフィルタ以外のフィルタが用いられてもよい。
【００６３】
適応ループフィルタ４２は、適応オフセットフィルタ４１によるフィルタ後の画像に対して、フィルタ係数を用いて、LCU毎にフィルタ処理を行い、フィルタ処理結果をフレームメモリ３２に供給する。
【００６４】
なお、本明細書において詳細な説明は省略するが、画像符号化装置１１において、フィルタ係数は、LCU毎に、画面並べ替えバッファ１２からの原画像との残差を最小とするよう適応ループフィルタ４２により算出されて用いられる。算出されたフィルタ係数は、可逆符号化部２６において符号化され、後述する図３の画像復号装置５１に送信される。また、本明細書では、LUC毎に処理を行う例を記載するが、適応ループフィルタ４２の処理単位は、これに限定されない。
【００６５】
フレームメモリ３２は、所定のタイミングにおいて、蓄積されている参照画像を、選択部３３を介してイントラ予測部３４または動き予測・補償部３５に出力する。
【００６６】
例えば、イントラ符号化が行われる画像の場合、フレームメモリ３２は、参照画像を、選択部３３を介してイントラ予測部３４に供給する。また、例えば、インター符号化が行われる場合、フレームメモリ３２は、参照画像を、選択部３３を介して動き予測・補償部３５に供給する。
【００６７】
選択部３３は、フレームメモリ３２から供給される参照画像がイントラ符号化を行う画像である場合、その参照画像をイントラ予測部３４に供給する。また、選択部３３は、フレームメモリ３２から供給される参照画像がインター符号化を行う画像である場合、その参照画像を動き予測・補償部３５に供給する。
【００６８】
イントラ予測部３４は、画面内の画素値を用いて予測画像を生成するイントラ予測（画面内予測）を行う。イントラ予測部３４は、複数のモード（イントラ予測モード）によりイントラ予測を行う。
【００６９】
イントラ予測部３４は、全てのイントラ予測モードで予測画像を生成し、各予測画像を評価し、最適なモードを選択する。イントラ予測部３４は、最適なイントラ予測モードを選択すると、その最適なモードで生成された予測画像を、予測画像選択部３６を介して演算部２３や演算部３０に供給する。
【００７０】
また、上述したように、イントラ予測部３４は、採用したイントラ予測モードを示すイントラ予測モード情報等のパラメータを、適宜可逆符号化部２６に供給する。
【００７１】
動き予測・補償部３５は、インター符号化が行われる画像について、画面並べ替えバッファ２２から供給される入力画像と、選択部３３を介してフレームメモリ３２から供給される参照画像とを用いて、動き予測を行う。また、動き予測・補償部３５は、動き予測により検出された動きベクトルに応じて動き補償処理を行い、予測画像（インター予測画像情報）を生成する。
【００７２】
動き予測・補償部３５は、候補となる全てのインター予測モードのインター予測処理を行い、予測画像を生成する。動き予測・補償部３５は、生成された予測画像を、予測画像選択部３６を介して演算部２３や演算部３０に供給する。
【００７３】
また、動き予測・補償部３５は、採用されたインター予測モードを示すインター予測モード情報や、算出した動きベクトルを示す動きベクトル情報などのパラメータを可逆符号化部２６に供給する。
【００７４】
予測画像選択部３６は、イントラ符号化を行う画像の場合、イントラ予測部３４の出力を演算部２３や演算部３０に供給し、インター符号化を行う画像の場合、動き予測・補償部３５の出力を演算部２３や演算部３０に供給する。
【００７５】
レート制御部３７は、蓄積バッファ２７に蓄積された圧縮画像に基づいて、オーバーフローあるいはアンダーフローが発生しないように、量子化部２５の量子化動作のレートを制御する。
【００７６】
［画像符号化装置の動作］
図２を参照して、以上のような画像符号化装置１１により実行される符号化処理の流れについて説明する。
【００７７】
ステップＳ１１において、A/D変換部２１は入力された画像をA/D変換する。ステップＳ１２において、画面並べ替えバッファ２２は、A/D変換された画像を記憶し、各ピクチャの表示する順番から符号化する順番への並べ替えを行う。
【００７８】
画面並べ替えバッファ２２から供給される処理対象の画像がイントラ処理されるブロックの画像である場合、参照される復号済みの画像がフレームメモリ３２から読み出され、選択部３３を介してイントラ予測部３４に供給される。
【００７９】
これらの画像に基づいて、ステップＳ１３において、イントラ予測部３４は処理対象のブロックの画素を、候補となる全てのイントラ予測モードでイントラ予測する。なお、参照される復号済みの画素としては、デブロッキングフィルタ３１によりフィルタされていない画素が用いられる。
【００８０】
この処理により、候補となる全てのイントラ予測モードでイントラ予測が行われ、候補となる全てのイントラ予測モードに対してコスト関数値が算出される。そして、算出されたコスト関数値に基づいて、最適イントラ予測モードが選択され、最適イントラ予測モードのイントラ予測により生成された予測画像とそのコスト関数値が予測画像選択部３６に供給される。
【００８１】
画面並べ替えバッファ２２から供給される処理対象の画像がインター処理される画像である場合、参照される画像がフレームメモリ３２から読み出され、選択部３３を介して動き予測・補償部３５に供給される。これらの画像に基づいて、ステップＳ１４において、動き予測・補償部３５は、動き予測・補償処理を行う。
【００８２】
この処理により、候補となる全てのインター予測モードで動き予測処理が行われ、候補となる全てのインター予測モードに対してコスト関数値が算出され、算出したコスト関数値に基づいて、最適インター予測モードが決定される。そして、最適インター予測モードにより生成された予測画像とそのコスト関数値が予測画像選択部３６に供給される。
【００８３】
ステップＳ１５において、予測画像選択部３６は、イントラ予測部３４および動き予測・補償部３５より出力された各コスト関数値に基づいて、最適イントラ予測モードと最適インター予測モードのうちの一方を、最適予測モードに決定する。そして、予測画像選択部３６は、決定した最適予測モードの予測画像を選択し、演算部２３，３０に供給する。この予測画像は、後述するステップＳ１６，Ｓ２１の演算に利用される。
【００８４】
なお、この予測画像の選択情報は、イントラ予測部３４または動き予測・補償部３５に供給される。最適イントラ予測モードの予測画像が選択された場合、イントラ予測部３４は、最適イントラ予測モードを示す情報（すなわち、イントラ予測に関するパラメータ）を、可逆符号化部２６に供給する。
【００８５】
最適インター予測モードの予測画像が選択された場合、動き予測・補償部３５は、最適インター予測モードを示す情報と、最適インター予測モードに応じた情報（すなわち、動き予測に関するパラメータ）を可逆符号化部２６に出力する。最適インター予測モードに応じた情報としては、動きベクトル情報や参照フレーム情報などがあげられる。
【００８６】
ステップＳ１６において、演算部２３は、ステップＳ１２で並び替えられた画像と、ステップＳ１５で選択された予測画像との差分を演算する。予測画像は、インター予測する場合は動き予測・補償部３５から、イントラ予測する場合はイントラ予測部３４から、それぞれ予測画像選択部３６を介して演算部２３に供給される。
【００８７】
差分データは元の画像データに較べてデータ量が小さくなっている。したがって、画像をそのまま符号化する場合に較べて、データ量を圧縮することができる。
【００８８】
ステップＳ１７において、直交変換部２４は演算部２３から供給された差分情報を直交変換する。具体的には、離散コサイン変換、カルーネン・レーベ変換等の直交変換が行われ、変換係数が出力される。
【００８９】
ステップＳ１８において、量子化部２５は変換係数を量子化する。この量子化に際しては、後述するステップＳ２８の処理で説明されるように、レートが制御される。
【００９０】
以上のようにして量子化された差分情報は、次のようにして局部的に復号される。すなわち、ステップＳ１９において、逆量子化部２８は、量子化部２５により量子化された変換係数を量子化部２５の特性に対応する特性で逆量子化する。ステップＳ２０において、逆直交変換部２９は、逆量子化部２８により逆量子化された変換係数を直交変換部２４の特性に対応する特性で逆直交変換する。
【００９１】
ステップＳ２１において、演算部３０は、予測画像選択部３６を介して入力される予測画像を局部的に復号された差分情報に加算し、局部的に復号された（すなわち、ローカルデコードされた）画像（演算部２３への入力に対応する画像）を生成する。
【００９２】
ステップＳ２２においてデブロッキングフィルタ３１は、演算部３０より出力された画像に対して、デブロッキングフィルタ処理を行う。これによりブロック歪みが除去される。デブロッキングフィルタ３１からのフィルタ後の画像は、適応オフセットフィルタ４１に出力される。
【００９３】
ステップＳ２３において、適応オフセットフィルタ４１は、適応オフセットフィルタ処理を行う。この処理により、最大の符号化単位であるLCU毎に、Ｙ，Ｃｂ，Ｃｒのコンポーネント間で共通となるオフセットフィルタのタイプが設定され、さらに、各コンポーネントでオフセットが設定される。さらに、それらを用いて、デブロッキングフィルタ３１によるフィルタ後の画像に対して、フィルタ処理が施される。なお、この適応オフセットフィルタ処理の詳細は、図１０を参照して後述される。
【００９４】
コンポーネント間で共通のタイプ情報やコンポーネント毎のオフセットを、これらの可逆符号化部２６に供給された各情報（以下、適応オフセットパラメータと総称する）は、後述するステップＳ２６で符号化される。
【００９５】
ステップＳ２４において、適応ループフィルタ４２は、適応オフセットフィルタ４１によるフィルタ後の画像に対して、適応ループフィルタ処理を行う。例えば、適応オフセットフィルタ４１によるフィルタ後の画像に対して、フィルタ係数を用いて、LCU毎に、画像に対してフィルタ処理が行われ、フィルタ処理結果が、フレームメモリ３２に供給される。
【００９６】
以上のように、適応オフセットフィルタ４１と適応ループフィルタ４２の処理単位を合わせることにより、処理を効率的に行うことができる。
【００９７】
ステップＳ２５においてフレームメモリ３２は、フィルタリングされた画像を記憶する。なお、フレームメモリ３２には、デブロッキングフィルタ３１、適応オフセットフィルタ４１、および適応ループフィルタ４２によりフィルタされていない画像も演算部３０から供給され、記憶される。
【００９８】
一方、上述したステップＳ１８において量子化された変換係数は、可逆符号化部２６にも供給される。ステップＳ２６において、可逆符号化部２６は、量子化部２５より出力された量子化された変換係数と、供給された各パラメータを符号化する。すなわち、差分画像が可変長符号化、算術符号化等の可逆符号化され、圧縮される。ここで、適応オフセットフィルタのパラメータも符号化される。
【００９９】
ステップＳ２７において蓄積バッファ２７は、符号化された差分画像（すなわち、符号化ストリーム）を、圧縮画像として蓄積する。蓄積バッファ２７に蓄積された圧縮画像が適宜読み出され、伝送路を介して復号側に伝送される。
【０１００】
ステップＳ２８においてレート制御部３７は、蓄積バッファ２７に蓄積された圧縮画像に基づいて、オーバーフローあるいはアンダーフローが発生しないように、量子化部２５の量子化動作のレートを制御する。
【０１０１】
ステップＳ２８の処理が終了すると、符号化処理が終了される。
【０１０２】
［画像復号装置の構成例］
図３は、本開示を適用した画像処理装置としての画像復号装置の一実施の形態の構成を表している。図３に示される画像復号装置５１は、図１の画像符号化装置１１に対応する復号装置である。
【０１０３】
画像符号化装置１１より符号化された符号化ストリーム（データ）は、所定の伝送路を介して、この画像符号化装置１１に対応する画像復号装置５１に伝送され、復号されるものとする。
【０１０４】
図３に示されるように、画像復号装置５１は、蓄積バッファ６１、可逆復号部６２、逆量子化部６３、逆直交変換部６４、演算部６５、デブロッキングフィルタ６６、画面並べ替えバッファ６７、およびD/A変換部６８を有する。また、画像復号装置５１は、フレームメモリ６９、選択部７０、イントラ予測部７１、動き予測・補償部７２、および選択部７３を有する。
【０１０５】
さらに、画像復号装置５１は、デブロッキングフィルタ６６と、画面並べ替えバッファ６７およびフレームメモリ６９との間に、適応オフセットフィルタ８１および適応ループフィルタ８２を有する。
【０１０６】
蓄積バッファ６１は、伝送されてきた符号化データを受け取る受け取り部でもある。蓄積バッファ６１は、伝送されてきた符号化データを受け取って、蓄積する。この符号化データは、画像符号化装置１１により符号化されたものである。可逆復号部６２は、蓄積バッファ６１から所定のタイミングで読み出された符号化データを、図１の可逆符号化部２６の符号化方式に対応する方式で復号する。
【０１０７】
可逆復号部６２は、復号されたイントラ予測モードを示す情報などのパラメータをイントラ予測部７１に供給し、インター予測モードを示す情報や動きベクトル情報などのパラメータを動き予測・補償部７２に供給する。また、可逆復号部６２は、復号された適応オフセットパラメータ（各コンポーネントのON/OFFを示す情報、LCU毎のコンポーネント間で共通のタイプを示す情報や各コンポーネントのオフセットなど）を、適応オフセットフィルタ８１に供給する。
【０１０８】
逆量子化部６３は、可逆復号部６２により復号されて得られた係数データ（量子化係数）を、図１の量子化部２５の量子化方式に対応する方式で逆量子化する。つまり、逆量子化部６３は、画像符号化装置１１から供給された量子化パラメータを用いて、図１の逆量子化部２８と同様の方法で量子化係数の逆量子化を行う。
【０１０９】
逆量子化部６３は、逆量子化された係数データ、つまり、直交変換係数を、逆直交変換部６４に供給する。逆直交変換部６４は、図１の直交変換部２４の直交変換方式に対応する方式で、その直交変換係数を逆直交変換し、画像符号化装置１１において直交変換される前の残差データに対応する復号残差データを得る。
【０１１０】
逆直交変換されて得られた復号残差データは、演算部６５に供給される。また、演算部６５には、選択部７３を介して、イントラ予測部７１若しくは動き予測・補償部７２から予測画像が供給される。
【０１１１】
演算部６５は、その復号残差データと予測画像とを加算し、画像符号化装置１１の演算部２３により予測画像が減算される前の画像データに対応する復号画像データを得る。演算部６５は、その復号画像データをデブロッキングフィルタ６６に供給する。
【０１１２】
デブロッキングフィルタ６６は、適宜デブロックフィルタ処理を行うことにより復号画像のブロック歪を除去する。デブロッキングフィルタ６６は、そのフィルタ処理結果を適応オフセットフィルタ８１に供給する。
【０１１３】
適応オフセットフィルタ８１は、デブロッキングフィルタ６６によるフィルタ後の画像に対して、主にリンギングを除去するオフセットフィルタ(SAO)処理を行う。
【０１１４】
適応オフセットフィルタ８１は、可逆復号部６２から供給される適応オフセットパラメータを用いて、最大の符号化単位であるLCU毎に、デブロッキングフィルタ６６によるフィルタ後の画像に対して、フィルタ処理を施す。適応オフセットフィルタ８１は、フィルタ処理後の画像を、適応ループフィルタ８２に供給する。
【０１１５】
なお、適応オフセットフィルタ８１の詳細は、図１６に後述するが、適応オフセットフィルタ８１は、スライス毎に各コンポーネントのON/OFFを示す情報、最大の符号化単位であるLCU毎にオフセットフィルタの種類（タイプ）とオフセット（値）を受け取る。そのうち、フィルタのタイプは、Ｙ，Ｃｂ，Ｃｒのコンポーネント間で共通で設定されている。適応オフセットフィルタ８１は、受け取られたタイプとオフセットを用いて、デブロッキングフィルタ６６によるフィルタ後の画像に対して、フィルタ処理を施す。
【０１１６】
適応ループフィルタ８２は、図１の画像符号化装置１１の適応ループフィルタ４２と基本的に同様に構成され、最大の符号化単位であるLCU毎に、適応ループフィルタ処理を行う。適応ループフィルタ８２は、適応オフセットフィルタ８１によるフィルタ後の画像に対して、フィルタ係数を用いて、LCU毎にフィルタ処理を行い、フィルタ処理結果を、フレームメモリ６９および画面並べ替えバッファ６７に供給する。
【０１１７】
なお、本明細書において詳細な説明は省略するが、画像復号装置５１において、フィルタ係数は、画像符号化装置１１の適応ループフィルタ４２によりLUC毎に算出され、符号化されて送られてきたものが可逆復号部６２により復号されて用いられる。
【０１１８】
画面並べ替えバッファ６７は、画像の並べ替えを行う。すなわち、図１の画面並べ替えバッファ２２により符号化の順番のために並べ替えられたフレームの順番が、元の表示の順番に並べ替えられる。D/A変換部６８は、画面並べ替えバッファ６７から供給された画像をD/A変換し、図示せぬディスプレイに出力し、表示させる。
【０１１９】
適応ループフィルタ８２の出力は、さらに、フレームメモリ６９に供給される。
【０１２０】
フレームメモリ６９、選択部７０、イントラ予測部７１、動き予測・補償部７２、および選択部７３は、画像符号化装置１１のフレームメモリ３２、選択部３３、イントラ予測部３４、動き予測・補償部３５、および予測画像選択部３６にそれぞれ対応する。
【０１２１】
選択部７０は、インター処理される画像と参照される画像をフレームメモリ６９から読み出し、動き予測・補償部７２に供給する。また、選択部７０は、イントラ予測に用いられる画像をフレームメモリ６９から読み出し、イントラ予測部７１に供給する。
【０１２２】
イントラ予測部７１には、ヘッダ情報を復号して得られたイントラ予測モードを示す情報等が可逆復号部６２から適宜供給される。イントラ予測部７１は、この情報に基づいて、フレームメモリ６９から取得した参照画像から予測画像を生成し、生成した予測画像を選択部７３に供給する。
【０１２３】
動き予測・補償部７２には、ヘッダ情報を復号して得られた情報（予測モード情報、動きベクトル情報、参照フレーム情報、フラグ、および各種パラメータ等）が可逆復号部６２から供給される。
【０１２４】
動き予測・補償部７２は、可逆復号部６２から供給されるそれらの情報に基づいて、フレームメモリ６９から取得した参照画像から予測画像を生成し、生成した予測画像を選択部７３に供給する。
【０１２５】
選択部７３は、動き予測・補償部７２またはイントラ予測部７１により生成された予測画像を選択し、演算部６５に供給する。
【０１２６】
［画像復号装置の動作］
図４を参照して、以上のような画像復号装置５１により実行される復号処理の流れの例を説明する。
【０１２７】
復号処理が開始されると、ステップＳ５１において、蓄積バッファ６１は、伝送されてきた符号化ストリーム（データ）を受け取り、蓄積する。ステップＳ５２において、可逆復号部６２は、蓄積バッファ６１から供給される符号化データを復号する。図１の可逆符号化部２６により符号化されたＩピクチャ、Ｐピクチャ、並びにＢピクチャが復号される。
【０１２８】
ピクチャの復号に先立ち、動きベクトル情報、参照フレーム情報、予測モード情報（イントラ予測モード、またはインター予測モード）などのパラメータの情報も復号される。
【０１２９】
予測モード情報がイントラ予測モード情報である場合、予測モード情報は、イントラ予測部７１に供給される。予測モード情報がインター予測モード情報である場合、予測モード情報と対応する動きベクトル情報などは、動き予測・補償部７２に供給される。また、適応オフセットパラメータも復号され、適応オフセットフィルタ８１に供給される。
【０１３０】
ステップＳ５３において、イントラ予測部７１または動き予測・補償部７２は、可逆復号部６２から供給される予測モード情報に対応して、それぞれ、予測画像生成処理を行う。
【０１３１】
すなわち、可逆復号部６２からイントラ予測モード情報が供給された場合、イントラ予測部７１はイントラ予測モードのイントラ予測画像を生成する。可逆復号部６２からインター予測モード情報が供給された場合、動き予測・補償部７２は、インター予測モードの動き予測・補償処理を行い、インター予測画像を生成する。
【０１３２】
この処理により、イントラ予測部７１により生成された予測画像（イントラ予測画像）、または動き予測・補償部７２により生成された予測画像（インター予測画像）が選択部７３に供給される。
【０１３３】
ステップＳ５４において、選択部７３は予測画像を選択する。すなわち、イントラ予測部７１により生成された予測画像、または動き予測・補償部７２により生成された予測画像が供給される。したがって、供給された予測画像が選択されて演算部６５に供給され、後述するステップＳ５７において逆直交変換部６４の出力と加算される。
【０１３４】
上述したステップＳ５２において、可逆復号部６２により復号された変換係数は、逆量子化部６３にも供給される。ステップＳ５５において、逆量子化部６３は可逆復号部６２により復号された変換係数を、図１の量子化部２５の特性に対応する特性で逆量子化する。
【０１３５】
ステップＳ５６において逆直交変換部２９は、逆量子化部２８により逆量子化された変換係数を、図１の直交変換部２４の特性に対応する特性で逆直交変換する。これにより図１の直交変換部２４の入力（演算部２３の出力）に対応する差分情報が復号されたことになる。
【０１３６】
ステップＳ５７において、演算部６５は、上述したステップＳ５４の処理で選択され、選択部７３を介して入力される予測画像を差分情報と加算する。これにより元の画像が復号される。
【０１３７】
ステップＳ５８においてデブロッキングフィルタ６６は、演算部６５より出力された画像に対して、デブロッキングフィルタ処理を行う。これによりブロック歪みが除去される。デブロッキングフィルタ６６からの復号画像は、適応オフセットフィルタ８１に出力される。
【０１３８】
ステップＳ５９において、適応オフセットフィルタ８１は、適応オフセットフィルタ処理を行う。適応オフセットフィルタ８１は、可逆復号部６２からの適応オフセットパラメータを用いて、デブロッキングフィルタ６６によるフィルタ後の画像に対して、フィルタ処理を施す。適応オフセットフィルタ８１は、フィルタ処理後の画像を、適応ループフィルタ８２に供給する。
【０１３９】
なお、適応オフセットフィルタ８１の詳細は、図１７に後述するが、適応オフセットフィルタ８１は、適応オフセットフィルタ処理を行う。この処理により、最大の符号化単位であるLCU毎に、Ｙ，Ｃｂ，Ｃｒのコンポーネント間で共通となるオフセットフィルタのタイプが設定され、さらに、各コンポーネントでオフセットが設定される。さらに、それらを用いて、デブロッキングフィルタ６６によるフィルタ後の画像に対して、フィルタ処理が施される。
【０１４０】
ステップＳ６０において、適応ループフィルタ８２は、適応オフセットフィルタ８１によるフィルタ後の画像に対して、適応ループフィルタ処理を行う。適応ループフィルタ８２は、最大の符号化単位であるLCU毎に計算されたフィルタ係数を用いて、入力画像に対して、LCU毎にフィルタ処理を行い、フィルタ処理結果を、画面並べ替えバッファ６７およびフレームメモリ６９に供給する。
【０１４１】
ステップＳ６１においてフレームメモリ６９は、フィルタリングされた画像を記憶する。
【０１４２】
ステップＳ６２において、画面並べ替えバッファ６７は、適応ループフィルタ８２後の画像の並べ替えを行う。すなわち画像符号化装置１１の画面並べ替えバッファ２２により符号化のために並べ替えられたフレームの順序が、元の表示の順序に並べ替えられる。
【０１４３】
ステップＳ６３において、D/A変換部６８は、画面並べ替えバッファ６７からの画像をD/A変換する。この画像が図示せぬディスプレイに出力され、画像が表示される。
【０１４４】
ステップＳ６３の処理が終了すると、復号処理が終了される。
【０１４５】
＜従来の手法の説明＞
［HEVC方式における適応オフセット処理］
次に、HEVC方式における適応オフセットフィルタについて説明する。HEVC方式においては、Sample Adaptive Offset方式が採用されている。
【０１４６】
符号化側において、適応オフセットフィルタ４１は、デブロックフィルタ（DB）３１と、適応ループフィルタ(ALF)４２の間に設けられている。復号側でも同様に、適応オフセットフィルタ８１は、デブロックフィルタ（DB）６６と、適応ループフィルタ(ALF)８２の間に設けられている。
【０１４７】
適応オフセットのタイプ（種類）としては、バンドオフセットと呼ばれるものが２種類、エッジオフセットと呼ばれるものが６種類あり、さらに、オフセットを適応しないことも可能である。そして、画像をLCU毎に、上述したどの適応オフセットのタイプにより符号化するかを選択することができる。
【０１４８】
この選択情報が、PQAO Info.として、符号化部（Entropy Coding）により符号化され、ビットストリームが生成され、生成されたビットストリームが復号側に送信される。この方法を用いることで、符号化効率を向上させることができる。
【０１４９】
まず、図５を参照して、バンドオフセットの詳細について説明する。
【０１５０】
バンドオフセットにおいては、図５の例においては、１つの目盛りが１バンド＝８画素を表しており、輝度画素値が３２バンドに分けられて、それぞれのバンドが独立にオフセット値を有する。
【０１５１】
すなわち、図５の例においては、０乃至２５５画素（３２バンド）のうち、中央の１６バンドが、第１グループに分けられ、両脇の８バンドずつが第２グループに分けられている。
【０１５２】
そして、第１グループおよび第２グループのどちらか一方のみのオフセットが符号化され、復号側に送られる。一般的に、１つの領域において、白黒はっきりしているか、微妙な色合いがあるかのどちらかであることが多く、第１グループと第２グループ両方に全てに画素があるのは稀である。このため、一方のみのオフセットしか送らないことで、それぞれのLCUにおいて、含まれていない値の画素値が伝送されて符号化量が増えるのが、抑制される。
【０１５３】
なお、入力信号が放送によるものである場合、輝度信号は、16,235、色差信号は、16,240の範囲に制限される。このとき、図５の下段に示されるbroadcast  legalが適用され、×印が示されている、両脇の２バンドずつに対するオフセット値は伝送されない。
【０１５４】
次に、図６を参照して、エッジオフセットの詳細について説明する。
【０１５５】
エッジオフセットにおいては、当該画素値と、当該画素値に隣接する隣接画素値の比較が行われ、これに対応したカテゴリに対して、オフセット値が伝送されることになる。
【０１５６】
エッジオフセットには、図６のＡ乃至図６のＤに示される４つの１次元パターンと、図６のＥおよび図６のＦに示される２つの２次元パターンが存在し、それぞれ、図６に示されるカテゴリでオフセットが伝送される。
【０１５７】
図６のＡは、当該画素Ｃに対して、隣接画素が左右の１次元に配置されている、すなわち、図６のＡのパターンに対して０度をなしている1-D,0-degreeパターンを表している。図６のＢは、当該画素Ｃに対して、隣接画素が上下の１次元に配置されている、すなわち、図６のＡのパターンに対して９０度をなしている1-D,90-degreeパターンを表している。
【０１５８】
図６のＣは、当該画素Ｃに対して、隣接画素が左上と右下の１次元に配置されている、すなわち、図６のＡのパターンに対して１３５度をなしている1-D,135-degreeパターンを表している。図６のＤは、当該画素Ｃに対して、隣接画素が右上と左下の１次元に配置されている、すなわち、図６のＡのパターンに対して４５度をなしている1-D,135-degreeパターンを表している。
【０１５９】
図６のＥは、当該画素Ｃに対して、隣接画素が上下左右２次元に配置されている、すなわち、当該画素Ｃに対して交差している2-D,crossパターンを表している。図６のＦは、当該画素Ｃに対して、隣接画素が右上左下、左上右下の２次元に配置されている、すなわち、当該画素Ｃに対して斜めに交差している2-D,diagonalパターンを表している。
【０１６０】
図７のＡは、１次元パターンの規則一覧表(Classification rule for 1-D patterns)を示している。図６のＡ乃至図６のＤのパターンは、図７のＡに示されるような５種類のカテゴリに分類され、そのカテゴリによりオフセットが算出されて、復号部に送られる。
【０１６１】
当該画素Ｃの画素値が２つの隣接画素の画素値より小さい場合、カテゴリ１に分類される。当該画素Ｃの画素値が一方の隣接画素の画素値より小さくて、他方の隣接画素の画素値と一致する場合、カテゴリ２に分類される。当該画素Ｃの画素値が一方の隣接画素の画素値より大きくて、他方の隣接画素の画素値と一致する場合、カテゴリ３に分類される。当該画素Ｃの画素値が２つの隣接画素の画素値より大きい場合、カテゴリ４に分類される。以上のどれでもない場合、カテゴリ０に分類される。
【０１６２】
図７のＢは、２次元パターンの規則一覧表(Classification rule for 2-D patterns)を示している。図６のＥおよび図６のＦのパターンは、図７のＢに示されるような７種類のカテゴリに分類され、そのカテゴリによりオフセットが復号側に送られる。
【０１６３】
当該画素Ｃの画素値が４つの隣接画素の画素値より小さい場合、カテゴリ１に分類される。当該画素Ｃの画素値が３つの隣接画素の画素値より小さくて、４番目の隣接画素の画素値と一致する場合、カテゴリ２に分類される。当該画素Ｃの画素値が３つの隣接画素の画素値より小さくて、４番目の隣接画素の画素値より大きい場合、カテゴリ３に分類される。
【０１６４】
当該画素Ｃの画素値が３つの隣接画素の画素値より大きくて、４番目の隣接画素の画素値より小さい場合、カテゴリ４に分類される。当該画素Ｃの画素値が３つの隣接画素の画素値より大きくて、４番目の隣接画素の画素値と一致する場合、カテゴリ５に分類される。当該画素Ｃの画素値が４つの隣接画素の画素値より大きい場合、カテゴリ６に分類される。以上のどれでもない場合、カテゴリ０に分類される。
【０１６５】
以上のように、エッジオフセットにおいては、１次元パターンの方が、隣接２画素のみに対する比較を行えばよいので、演算量は低くなる。なお、high efficiency  符号化条件においては、low delay 符号化条件に比して、1bitオフセットの値を高精度にして、復号側へ送られる。
【０１６６】
上述した適応オフセット処理は、HEVC方式（非特許文献１）において、LCU毎に行われる処理である。また、HEVC方式における適応オフセット処理においては、Ｙ，Ｃｂ，Ｃｒのコンポーネント間の制御信号は、全て独立して伝送されている。
【０１６７】
すなわち、HEVC方式においては、ON/OFF情報、フィルタタイプ情報、およびフィルタ係数などのSAO制御情報が、LCU毎に、また、コンポーネント毎に全て独立して伝送されていた。
【０１６８】
これに対して、非特許文献２においては、上述したSAO制御情報のうち、コンポーネント間のON/OFF制御信号を１つのシンタクスで置き換えて伝送するという提案が行われている。
【０１６９】
次に、図８のフローチャートを参照して、従来のLCU毎のSAO制御情報伝送処理について説明する。
【０１７０】
ステップＳ１１において、コンポーネントID(cIdx)＝０とされる。ここで、cIdx＝０は、Ｙ（輝度信号）を示し、cIdx＝１は、Ｃｂ（色差信号）を示し、cIdx＝２は、Ｃｒ（色差信号）を示している。
【０１７１】
ステップＳ１２において、cIdx＜３であるか否かが判定される。ステップＳ１２において、cIdx＜３であると判定された場合、処理は、ステップＳ１３に進む。ステップＳ１３において、slice_sample_adaptive_offset_flag[cIdx]＝１であるか否かが判定される。slice_sample_adaptive_offset_flag[cIdx]は、スライス毎の各コンポーネントのON/OFFを示す情報（フラグ）である。
【０１７２】
ステップＳ１３において、slice_sample_adaptive_offset_flag[cIdx]＝１である（すなわち、cIdxに対する適応オフセットフィルタを行う）と判定された場合、処理は、ステップＳ１４に進む。ステップＳ１４において、cIdx（＝０）に対するSAO制御情報が伝送される。なお、非特許文献２においては、SAO制御情報として、フィルタタイプ情報、およびフィルタ係数（オフセット）などが送られていた。
【０１７３】
ステップＳ１３において、slice_sample_adaptive_offset_flag[cIdx]＝０である（すなわち、cIdxに対する適応オフセットフィルタを行わないと判定された場合、処理は、ステップＳ１４をスキップし、ステップＳ１５に進む）。
【０１７４】
ステップＳ１５において、cIdx++（すなわち、cIdx＝１）とされ、処理は、ステップＳ１２に戻る。ステップＳ１２において、cIdx＜３ではないと判定された場合、処理は、ステップＳ１６に進む。
【０１７５】
ステップＳ１６において、現在処理中のカレントLCUが最後のLCUであるか否かが判定される。ステップＳ１６において、現在処理中のカレントLCUが最後のLCUではないと判定された場合、処理は、ステップＳ１７に進む。ステップＳ１７において、次のLCUをカレントLCUとし、処理は、ステップＳ１１に戻る。
【０１７６】
ステップＳ１６において、現在処理中のカレントLCUが最後のLCUであると判定された場合、LCU毎のSAO制御情報伝送処理は終了される。
【０１７７】
以上のように、非特許文献２においては、フィルタタイプ情報、およびフィルタ係数などのSAO制御情報が、LCU毎に、また、コンポーネント毎に全て独立して伝送される。
【０１７８】
しかしながら、上述した非特許文献１、２においては、Ｙ，Ｃｂ，Ｃｒのコンポーネント間で独立にタイプ情報を伝送しているため、適応オフセットフィルタの制御に必要な符号量が多かった。
【０１７９】
以上のことを踏まえて、本技術においては、コンポーネント間（Ｙ，Ｃｂ，ＣｒまたはＣｂ，Ｃｒ）でフィルタタイプを共通化し、係数のみがSAO制御情報として、独立して伝送される。
【０１８０】
＜３．第１の実施の形態＞
［適応オフセットフィルタの構成例］
図９は、図１の画像符号化装置における適応オフセットフィルタおよび可逆符号化部の構成例を示すブロック図である。
【０１８１】
図９の例において、適応オフセットフィルタ４１は、SAOフラグ設定部１１１、タイプ設定部１１２、オフセット設定部１１３、SAO制御情報設定部１１４、オフセットバッファ１１５、フィルタ処理部１１６、および画像バッファ１１７を含むように構成される。
【０１８２】
可逆符号化部２６は、少なくとも、シンタクス書き込み部１２１を含むように構成される。
【０１８３】
デブロッキングフィルタ３１からのデブロック後画素値は、SAOフラグ設定部１１１、タイプ設定部１１２、オフセット設定部１１３、およびフィルタ処理部１１６に入力される。SAOフラグ設定部１１１は、デブロック後画素値を用いて、スライス単位で、各コンポーネントの適応オフセットフィルタのON/OFFを示すSAOフラグ(slice_sample_adaptive_offset_flag)を設定する。SAOフラグ設定部１１１は、設定したSAOフラグを、タイプ設定部１１２およびシンタクス書き込み部１２１に供給する。
【０１８４】
タイプ設定部１１２は、デブロック後画素値を用いて、LCU単位で、Ｙ，Ｃｂ，Ｃｒのコンポーネント間で共通であるフィルタのタイプを設定する。例えば、LCU単位でコスト関数値が計算されて、コスト関数値が最小である、そのLCUに最適なタイプが設定される。その際、すべてのコンポーネントの信号が用いられるが、用いられる信号は限定されず、例えば、輝度信号のみが用いられてもよい。タイプ設定部１１２は、タイプを示す情報をオフセット設定部１１３およびシンタクス書き込み部１２１に供給する。また、タイプ設定部１１２は、各コンポーネントのSAOフラグもオフセット設定部１１３に供給する。
【０１８５】
オフセット設定部１１３は、デブロック後画素値を用いて、LCU単位で、Ｙ，Ｃｂ，Ｃｒの各コンポーネントで独立したオフセット（係数）を設定する。その際、例えば、各コンポーネントの信号（デブロック後画素値）が用いられて、LCU単位でコスト関数値が計算されて、コスト関数値が最小である、そのLCUに最適なオフセットが設定される。
【０１８６】
オフセット設定部１１３は、各コンポーネントのSAOフラグおよびオフセットと、および、コンポーネント間で共通のタイプとをフィルタ処理部１１６に供給する。また、オフセット設定部１１３は、オフセットをSAO制御情報設定部１１４に供給する。
【０１８７】
SAO制御情報設定部１１４は、コンポーネント毎に、オフセット設定部１１３からのオフセットをオフセットバッファ１１５に書き込む。また、SAO制御情報設定部１１４は、オフセットバッファ１１５に書き込まれている情報を参照し、オフセット設定部１１３からオフセットが、現在処理中のカレントLCUの左に隣接する左LCUのオフセットと一致するか否かを判定する。SAO制御情報設定部１１４は、一致すると判定された場合、sao_merge_left_flagを設定し、設定したsao_merge_left_flagを、SAO制御情報として、シンタクス書き込み部１２１に供給する。
【０１８８】
さらに、SAO制御情報設定部１１４は、オフセット設定部１１３からのオフセットが、カレントLCUの上に隣接する上LCUのオフセットと一致するか否かを判定する。SAO制御情報設定部１１４は、一致すると判定された場合、sao_merge_top_flagを設定し、設定したsao_merge_top_flagを、SAO制御情報として、シンタクス書き込み部１２１に供給する。
【０１８９】
SAO制御情報設定部１１４は、オフセット設定部１１３からのオフセットが、左LCUとも上LCUとも一致しなかった場合、オフセットのみを、SAO制御情報として、シンタクス書き込み部１２１に供給する。すなわち、sao_merge_left_flagは、左LCUと同じオフセットであることを示すフラグであり、sao_merge_top_flagは、上LCUと同じオフセットであることを示すフラグであり、これらのフラグが設定された場合、設定されたフラグが、オフセットの代わりに送られる。なお、ここでは、オフセットのみで判定を行う例を説明したが、オフセット設定部１１３からタイプとオフセットを供給して、タイプとオフセットで判定を行うようにしてもよい。
【０１９０】
オフセットバッファ１１５は、カレントLCUに隣接するLCUのオフセットを保持している。オフセットバッファ１１５には、少なくともカレントLCUの左LCUと上LCUのオフセットが保持されていればよい。
【０１９１】
フィルタ処理部１１６は、オフセット設定部１１３からのSAOフラグ、タイプ情報、オフセット情報に基づいて、デブロッキングフィルタ３１からの各コンポーネントのデブロック後画素値に対して、LCU毎に、適応オフセットフィルタ処理を施す。フィルタ処理部１１６は、オフセット処理後の画素値を、画像バッファ１１７に供給する。
【０１９２】
画像バッファ１１７は、フィルタ処理部１１６によるオフセット処理後の画素値を一旦格納し、所定のタイミングで、適応ループフィルタ４２に供給する。
【０１９３】
シンタクス書き込み部１２１は、SAOフラグ設定部１１１からのSAOフラグをスライス毎に符号化ストリームのヘッダ部に書き込む。シンタクス書き込み部１２１は、LCU毎に、タイプ設定部１１２からのコンポーネント間で共通のタイプ、SAO制御情報設定部１１４からのコンポーネント毎のオフセットまたはマージフラグを、符号化ストリームのヘッダ部に書き込む。
【０１９４】
［符号化側の適応オフセットフィルタ処理］
次に、図１０のフローチャートを参照して、図９の適応オフセットフィルタ４１が行う適応オフセットフィルタ処理について説明する。なお、この適応オフセットフィルタ処理は、図２のステップＳ２３における処理である。
【０１９５】
デブロッキングフィルタ３１からのデブロック後画素値は、SAOフラグ設定部１１１、タイプ設定部１１２、オフセット設定部１１３、およびフィルタ処理部１１６に入力される。SAOフラグ設定部１１１は、ステップＳ１１１において、デブロック後画素値を用いて、スライス単位で、各コンポーネントの適応オフセットフィルタのON/OFFを示すSAOフラグ（slice_sample_adaptive_offset_flag）を設定する。SAOフラグ設定部１１１は、設定したSAOフラグを、タイプ設定部１１２およびシンタクス書き込み部１２１に供給する。
【０１９６】
タイプ設定部１１２は、ステップＳ１１２において、コンポーネントID(cIdx)＝０とする。ここで、cIdx＝０は、Ｙ（輝度信号）を示し、cIdx＝１は、Ｃｂ（色差信号）を示し、cIdx＝２は、Ｃｒ（色差信号）を示している。
【０１９７】
ステップＳ１１３において、タイプ設定部１１２は、slice_sample_adaptive_offset_flag[０ or １or ２]＝１であるか否かを判定する。すなわち、ステップＳ１１３においては、Ｙ、Ｃｂ、Ｃｒのうちの少なくとも１つの適応オフセットフィルタを適用するか否かが判定される。
【０１９８】
ステップＳ１１３において、slice_sample_adaptive_offset_flag[０ or １or ２]＝１である、すなわち、Ｙ、Ｃｂ、Ｃｒのうちの少なくとも１つの適応オフセットフィルタを適用すると判定された場合、処理は、ステップＳ１１４に進む。
【０１９９】
ステップＳ１１４において、タイプ設定部１１２は、デブロック後画素値を用いて、LCU単位で、Ｙ，Ｃｂ，Ｃｒのコンポーネント間で共通であるフィルタのタイプ（sao_type）を設定する。タイプ設定部１１２は、タイプを示す情報をシンタクス書き込み部１２１に供給し、その後、処理は、ステップＳ１１５に進む。
【０２００】
なお、これに対応して、シンタクス書き込み部１２１は、後述する図１２のステップＳ１４３において、sao_typeをシンタクスに書き込み、蓄積バッファ２７に供給し、伝送させる。
【０２０１】
ステップＳ１１２において、slice_sample_adaptive_offset_flag[０ and １and ２]＝０である、すなわち、Ｙ、Ｃｂ、Ｃｒのすべての適応オフセットフィルタを適用しないと判定された場合、処理は、ステップＳ１１４をスキップし、ステップＳ１１５に進む。
【０２０２】
タイプ設定部１１２は、ステップＳ１１５において、cIdx＜３であるか否かを判定する。ステップＳ１１５において、cIdx＜３であると判定された場合、処理は、ステップＳ１１６に進む。
【０２０３】
ステップＳ１１６において、タイプ設定部１１２は、slice_sample_adaptive_offset_flag[cIdx]＝１であるか否かを判定する。
【０２０４】
ステップＳ１１６において、slice_sample_adaptive_offset_flag[cIdx]＝１である（すなわち、cIdxに対する適応オフセットフィルタを行う）と判定された場合、処理は、ステップＳ１１７進む。このとき、タイプ設定部１１２は、ステップＳ１１４により設定されたフィルタのタイプと、ステップＳ１１１で設定された対応するcIdxのSAOフラグ（slice_sample_adaptive_offset_flag）をオフセット設定部１１３に供給する。
【０２０５】
ステップＳ１１７において、オフセット設定部１１３およびSAO制御情報設定部１１４は、cIdx（＝０（すなわち、Ｙ輝度信号））に対するSAO制御情報を設定する。このSAO制御情報設定処理は、図１１を参照して後述されるが、この処理により、SAO制御情報として、オフセットまたはマージフラグが設定されて、設定されたSAO制御情報が、シンタクス書き込み部１２１に供給される。また、ここで設定されたオフセットは、フィルタ処理部１１６に供給される。
【０２０６】
これに対応して、シンタクス書き込み部１２１は、後述する図１２のステップＳ１４６において、cIdxに対するSAO制御情報をシンタクスに書き込み、蓄積バッファ２７に供給し、伝送させる。
【０２０７】
ステップＳ１１７の後、処理は、ステップＳ１１８に進む。また、ステップＳ１１６においてslice_sample_adaptive_offset_flag[cIdx]＝０である（すなわち、cIdxに対する適応オフセットフィルタを行わない）と判定された場合、処理は、ステップＳ１１７をスキップし、ステップＳ１１８に進む。
【０２０８】
ステップＳ１１８において、フィルタ処理部１１６は、デブロッキングフィルタ３１からのデブロック処理後画素に対して、適応フィルタ処理を行う。このとき、ステップＳ１１４により設定されたフィルタのタイプと、ステップＳ１１１で設定された対応するcIdxのSAOフラグ、さらに、ステップＳ１１７で設定されたオフセットに基づいて、適応フィルタ処理が行われる。
【０２０９】
フィルタ処理部１１６は、オフセット処理後の画素値を、画像バッファ１１７に供給する。画像バッファ１１７は、フィルタ処理部１１６によるオフセット処理後の画素値を一旦格納し、所定のタイミングで、適応ループフィルタ４２に供給する。
【０２１０】
タイプ設定部１１２は、ステップＳ１１９において、cIdx++（すなわち、cIdx＝１（すなわち、Ｃｂ色差信号））とし、処理は、ステップＳ１１５に戻る。また、ステップＳ１１５において、cIdx＜３ではないと判定された場合、処理は、ステップＳ１２０に進む。
【０２１１】
ステップＳ１２０において、タイプ設定部１１２は、現在処理中のカレントLCUが最後のLCUであるか否かが判定される。ステップＳ１２０において、現在処理中のカレントLCUが最後のLCUではないと判定された場合、処理は、ステップＳ１２１に進む。ステップＳ１２１において、カレントLCUを次のLCUへ移し、処理は、ステップＳ１１２に戻る。
【０２１２】
ステップＳ１２０において、現在処理中のカレントLCUが最後のLCUであると判定された場合、適応オフセットフィルタは終了される。
【０２１３】
[SAO制御情報設定処理]
次に、図１１のフローチャートを参照して、図１０のステップＳ１１７のSAO制御情報設定処理を説明する。
【０２１４】
ステップＳ１３１において、オフセット設定部１１３は、デブロック後画素値を用いて、LCU単位で、cIdxの各コンポーネントで独立したオフセット（係数）を設定し、設定したオフセットを、フィルタ処理部１１６とSAO制御情報設定部１１４に供給する。
【０２１５】
SAO制御情報設定部１１４は、ステップＳ１３２において、Ｙ，Ｃｂ，Ｃｒのコンポーネント毎に、オフセット設定部１１３からのオフセットをオフセットバッファ１１５に書き込む。
【０２１６】
ステップＳ１３３において、SAO制御情報設定部１１４は、現在処理中のカレントLCUが、カレントLCUの左に隣接する左LCUとマージできるか否かを判定する。すなわち、SAO制御情報設定部１１４は、オフセットバッファ１１５に書き込まれている情報を参照し、オフセット設定部１１３からのカレントLCUのオフセットが、左LCUのオフセットと一致するか否かを判定する。
【０２１７】
ステップＳ１３３において、オフセット設定部１１３からのカレントLCUのオフセットが、左LCUのオフセットと一致し、カレントLCUが左LCUとマージできると判定された場合、処理は、ステップＳ１３４に進む。
【０２１８】
ステップＳ１３４において、SAO制御情報設定部１１４は、sao_merge_left_flagを設定し、設定したsao_merge_left_flagを、SAO制御情報として、シンタクス書き込み部１２１に供給する。
【０２１９】
一方、ステップＳ１３３において、カレントLCUが左LCUとマージできないと判定された場合、処理は、ステップＳ１３５に進む。ステップＳ１３５において、SAO制御情報設定部１１４は、現在処理中のカレントLCUが、カレントLCUの上に隣接する上LCUとマージできるか否かを判定する。すなわち、SAO制御情報設定部１１４は、オフセットバッファ１１５に書き込まれている情報を参照し、オフセット設定部１１３からのカレントLCUのオフセットが、上LCUのオフセットと一致するか否かを判定する。
【０２２０】
ステップＳ１３５において、オフセット設定部１１３からのカレントLCUのオフセットが、上LCUのオフセットと一致し、カレントLCUが上LCUとマージできると判定された場合、処理は、ステップＳ１３６に進む。
【０２２１】
ステップＳ１３６において、SAO制御情報設定部１１４は、sao_merge_top_flagを設定し、設定したsao_merge_top_flagを、SAO制御情報として、シンタクス書き込み部１２１に供給する。
【０２２２】
一方、ステップＳ１３５において、カレントLCUが上LCUとマージできないと判定された場合、処理は、ステップＳ１３７に進む。
【０２２３】
ステップＳ１３７において、SAO制御情報設定部１１４は、オフセットを、SAO制御情報として、シンタクス書き込み部１２１に供給する。
【０２２４】
[LCU毎のSAO制御情報伝送処理]
次に、図１２のフローチャートを参照して、図８の従来例に対する、LCU毎のSAO制御情報伝送処理を説明する。なお、この処理は、図１０を参照して上述した適応オフセットフィルタ処理に対応して、例えば、図２のステップＳ２６の符号化処理において行われる処理である。
【０２２５】
シンタクス書き込み部１２１は、ステップＳ１４１において、コンポーネントID(cIdx)＝０とする。
【０２２６】
ステップＳ１４２において、シンタクス書き込み部１２１は、slice_sample_adaptive_offset_flag[０ or １or ２]＝１であるか否かを判定する。すなわち、Ｙ、Ｃｂ、Ｃｒのうちの少なくとも１つの適応オフセットフィルタを適用するか否かが判定される。
【０２２７】
ステップＳ１４２において、slice_sample_adaptive_offset_flag[０ or １or ２]＝１であると判定された場合、処理は、ステップＳ１４３に進む。ステップＳ１４３において、シンタクス書き込み部１２１は、図１０のステップＳ１１４により設定され、供給されるフィルタのタイプ（sao_type）を示す情報をシンタクスに書き込み、蓄積バッファ２７に供給し、伝送させる。なお、タイプを示す情報は、PPS(Picture Parameter Set)またはスライス単位で伝送される。
【０２２８】
ステップＳ１４２において、slice_sample_adaptive_offset_flag[０ and １and ２]＝０であると判定された場合、ステップＳ１４３はスキップされ、処理は、ステップＳ１４４に進む。
【０２２９】
ステップＳ１４４において、シンタクス書き込み部１２１は、cIdx＜３であるか否かを判定する。ステップＳ１４４において、cIdx＜３であると判定された場合、処理は、ステップＳ１４５に進む。
【０２３０】
ステップＳ１４５において、シンタクス書き込み部１２１は、slice_sample_adaptive_offset_flag[cIdx]＝１であるか否かを判定する。ステップＳ１４５において、slice_sample_adaptive_offset_flag[cIdx]＝１である（すなわち、cIdxに対する適応オフセットフィルタを行う）と判定された場合、処理は、ステップＳ１４６に進む。
【０２３１】
ステップＳ１４６において、シンタクス書き込み部１２１は、図１０のステップＳ１１７により設定され、供給されるcIdx（＝０（すなわち、Ｙ輝度信号））に対するSAO制御情報（sao_type除く）をシンタクスに書き込み、蓄積バッファ２７に供給し、伝送させる。
【０２３２】
シンタクス書き込み部１２１は、ステップＳ１４７において、cIdx++（すなわち、cIdx＝１（すなわち、Ｃｒ色差信号））とし、処理は、ステップＳ１４４に戻る。また、ステップＳ１４４において、cIdx＜３ではないと判定された場合、処理は、ステップＳ１４８に進む。
【０２３３】
ステップＳ１４８において、シンタクス書き込み部１２１は、現在処理中のカレントLCUが最後のLCUであるか否かが判定される。ステップＳ１４８において、現在処理中のカレントLCUが最後のLCUではないと判定された場合、処理は、ステップＳ１４９に進む。ステップＳ１４９において、カレントLCUを次のLCUへ移し、処理は、ステップＳ１４１に戻る。
【０２３４】
ステップＳ１４８において、現在処理中のカレントLCUが最後のLCUであると判定された場合、LCU毎のSAO制御情報伝送処理は終了される。
【０２３５】
以上のように、フィルタのタイプを示す情報を、Ｙ，Ｃｂ，Ｃｒのコンポーネント間、すなわち、輝度および色差の成分間で共通化して送るようにしたので、係数（オフセット）のみを各コンポーネント間で独立して伝送することとなり、符号化量を減らすことができる。
【０２３６】
［適応オフセットフィルタの他の構成例］
図１３は、図１の画像符号化装置における適応オフセットフィルタおよび可逆符号化部の他の構成例を示すブロック図である。
【０２３７】
図１３の例において、適応オフセットフィルタ４１は、SAOフラグ設定部１１１、オフセット設定部１１３、SAO制御情報設定部１１４、オフセットバッファ１１５、フィルタ処理部１１６、および画像バッファ１１７を備える点が、図９の適応オフセットフィルタ４１と共通している。
【０２３８】
適応オフセットフィルタ４１は、タイプ設定部１１２がタイプ設定部１４１と入れ替わった点が、図９の適応オフセットフィルタ４１と異なっている。
【０２３９】
また、図１３の可逆符号化部２６は、シンタクス書き込み部１２１がシンタクス書き込み部１６１と入れ替わった点が、図９の可逆符号化部２６と異なっている。
【０２４０】
すなわち、図１３のタイプ設定部１４１は、輝度信号で独立のフィルタタイプを設定するＹタイプ設定部１５１、およびＣｂとＣｒの色差信号間で共通のフィルタタイプを設定するＣｍタイプ設定部１５２とを含むように構成されている。
【０２４１】
Ｙタイプ設定部１５１は、輝度信号を用いて、例えば、LCU単位でコスト関数値を計算して、コスト関数値が最小である、その輝度信号のLCUに最適なタイプを設定する。Ｃｍタイプ設定部１５２は、ＣｂおよびＣｒの少なくともどちらか一方を用いて、例えば、LCU単位でコスト関数値を計算して、コスト関数値が最小である、その色差信号のLCUに最適なタイプを設定する。
【０２４２】
シンタクス書き込み部１６１は、図９のシンタクス書き込み部１２１と同様に、SAOフラグ設定部１１１からのSAOフラグをスライス毎に、符号化ストリームのヘッダ部に書き込む。シンタクス書き込み部１６１は、シンタクス書き込み部１２１と同様に、SAO制御情報設定部１１４からのコンポーネント毎のオフセットまたはマージフラグを、符号化ストリームのヘッダ部に書き込む。
【０２４３】
また、シンタクス書き込み部１６１は、シンタクス書き込み部１２１と異なり、LCU毎に、タイプ設定部１１２からの輝度用のＹタイプを示すタイプ情報、色差コンポーネント間で共通のＣｍタイプを示すタイプ情報を、符号化ストリームのヘッダ部に書き込む。
【０２４４】
［符号化側の適応オフセットフィルタ処理］
次に、図１４のフローチャートを参照して、図１３の適応オフセットフィルタ４１が行う適応オフセットフィルタ処理について説明する。なお、この適応オフセットフィルタ処理は、図２のステップＳ２３における処理である。
【０２４５】
SAOフラグ設定部１１１は、ステップＳ１６１において、デブロック後画素値を用いて、スライス単位で、各コンポーネントの適応オフセットフィルタのON/OFFを示すSAOフラグを設定する。SAOフラグ設定部１１１は、設定したSAOフラグ（slice_sample_adaptive_offset_flag）を、Ｙタイプ設定部１５１、Ｃｍタイプ設定部１５２、およびシンタクス書き込み部１６１に供給する。
【０２４６】
Ｙタイプ設定部１５１およびＣｍタイプ設定部１５２は、ステップＳ１６２において、コンポーネントID(cIdx)＝０とする。
【０２４７】
ステップＳ１６３において、Ｙタイプ設定部１５１は、slice_sample_adaptive_offset_flag[０]＝１であるか否かを判定する。すなわち、ステップＳ１６３においては、Ｙの適応オフセットフィルタを適用するか否かが判定される。
【０２４８】
ステップＳ１６３において、slice_sample_adaptive_offset_flag[０]＝１である、すなわち、Ｙの適応オフセットフィルタを適用すると判定された場合、処理は、ステップＳ１６４に進む。
【０２４９】
ステップＳ１６４において、Ｙタイプ設定部１５１は、デブロック後画素値を用いて、LCU単位で、Ｙのフィルタのタイプ（sao_type_Y）を設定する。Ｙタイプ設定部１５１は、Ｙのタイプを示す情報をシンタクス書き込み部１６１に供給し、その後、処理は、ステップＳ１６５に進む。
【０２５０】
なお、これに対応して、シンタクス書き込み部１６１は、後述する図１５のステップＳ１８３において、sao_type_Yをシンタクスに書き込み、蓄積バッファ２７に供給し、伝送させる。
【０２５１】
また、ステップＳ１６３において、slice_sample_adaptive_offset_flag[０]＝０であると判定された場合、処理は、ステップＳ１６４をスキップし、ステップＳ１６５に進む。
【０２５２】
ステップＳ１６５において、Ｃｍタイプ設定部１５２は、slice_sample_adaptive_offset_flag[１or２]＝１であるか否かを判定する。すなわち、ステップＳ１６５においては、ＣｒまたはＣｂの適応オフセットフィルタを適用するか否かが判定される。
【０２５３】
ステップＳ１６５において、slice_sample_adaptive_offset_flag[１ or ２]＝１である、すなわち、Ｃｍの適応オフセットフィルタを適用すると判定された場合、処理は、ステップＳ１６６に進む。
【０２５４】
ステップＳ１６６において、Ｃｍタイプ設定部１５２は、デブロック後画素値を用いて、LCU単位で、ＣｂとＣｒとで共通のフィルタのタイプ（sao_type_Cm）を設定する。Ｙタイプ設定部１５１は、Ｃｍのタイプを示す情報をシンタクス書き込み部１６１に供給し、その後、処理は、ステップＳ１６７に進む。
【０２５５】
なお、これに対応して、シンタクス書き込み部１６１は、後述する図１５のステップＳ１８５において、sao_type_Cmをシンタクスに書き込み、蓄積バッファ２７に供給し、伝送させる。
【０２５６】
また、ステップＳ１６５において、slice_sample_adaptive_offset_flag[１and２]＝０であると判定された場合、処理は、ステップＳ１６６をスキップし、ステップＳ１６７に進む。
【０２５７】
なお、以降のＳ１６７乃至Ｓ１７３は、図１０のステップＳ１１５乃至Ｓ１２１と基本的に同様の処理を行うため、その説明は繰り返しになるので省略される。
【０２５８】
[LCU毎のSAO制御情報伝送処理]
次に、図１５のフローチャートを参照して、図８の従来例に対する、LCU毎のSAO制御情報伝送処理を説明する。なお、この処理は、図１４を参照して上述した適応オフセットフィルタ処理に対応して、例えば、図２のステップＳ２６の符号化処理において行われる処理である。
【０２５９】
シンタクス書き込み部１６１は、ステップＳ１８１において、コンポーネントID(cIdx)＝０とする。
【０２６０】
ステップＳ１８２において、シンタクス書き込み部１６１は、slice_sample_adaptive_offset_flag[０]＝１であるか否かを判定する。すなわち、Ｙの適応オフセットフィルタを適用するか否かが判定される。
【０２６１】
ステップＳ１８２において、slice_sample_adaptive_offset_flag[０]＝１であると判定された場合、処理は、ステップＳ１８３に進む。ステップＳ１８３において、シンタクス書き込み部１６１は、図１４のステップＳ１６４により供給されるフィルタのタイプ（sao_type_Y）を示す情報をシンタクスに書き込み、蓄積バッファ２７に供給し、伝送させる。
【０２６２】
ステップＳ１８２において、slice_sample_adaptive_offset_flag[０]＝０であると判定された場合、処理は、ステップＳ１８３をスキップし、ステップＳ１８４に進む。
【０２６３】
ステップＳ１８４において、シンタクス書き込み部１６１は、slice_sample_adaptive_offset_flag[１or２]＝１であるか否かを判定する。すなわち、Ｃｍの適応オフセットフィルタを適用するか否かが判定される。
【０２６４】
ステップＳ１８４において、slice_sample_adaptive_offset_flag[１or２]＝１であると判定された場合、処理は、ステップＳ１８５に進む。ステップＳ１８５において、シンタクス書き込み部１６１は、図１４のステップＳ１６６により供給されるフィルタのタイプ（sao_type_Cm）を示す情報をシンタクスに書き込み、蓄積バッファ２７に供給し、伝送させる。
【０２６５】
ステップＳ１８４において、slice_sample_adaptive_offset_flag[１and ２]＝０であると判定された場合、ステップＳ１８５はスキップされ、処理は、ステップＳ１８６に進む。
【０２６６】
なお、以降のＳ１８６乃至Ｓ１９１は、図１４のステップＳ１４４乃至Ｓ１４９と基本的に同様の処理を行うため、それらの説明は繰り返しになるので省略される。
【０２６７】
以上のように、ＣｂおよびＣｒの色差のコンポーネント間のみにおいて、フィルタのタイプ情報を共通化することも可能であり、この場合も、符号量を削減することができる。
【０２６８】
＜４．第５の実施の形態＞
［適応オフセットフィルタの構成例］
図１６は、図３の画像復号装置における可逆復号部および適応オフセットフィルタの構成例を示すブロック図である。なお、図１６に示す構成例は、図９の適応オフセットフィルタと可逆符号化部に対応している。
【０２６９】
図１６の例において、可逆復号部６２は、少なくとも、シンタクス取得部２１１を含むように構成される。
【０２７０】
適応オフセットフィルタ８１は、SAOフラグ受け取り部２２１、タイプ受け取り部２２２、マージフラグ受け取り部２２３、オフセットバッファ２２４、オフセット受け取り部２２５、フィルタ処理部２２６、および画像バッファ２２７を含むように構成される。
【０２７１】
シンタクス取得部２１１は、符号化ストリームのヘッダ部からシンタクスを取得する。そして、シンタクス取得部２１１は、取得したシンタクスのうち、適応オフセットパラメータを、SAOフラグ受け取り部２２１、タイプ受け取り部２２２、マージフラグ受け取り部２２３、およびオフセット受け取り部２２５に供給する。
【０２７２】
すなわち、シンタクス取得部２１１は、適応オフセットパラメータの１つであるSAOフラグ（slice_sample_adaptive_offset_flag）をSAOフラグ受け取り部２２１に供給する。シンタクス取得部２１１は、適応オフセットパラメータの１つであるフィルタのタイプ情報を、タイプ受け取り部２２２に供給する。シンタクス取得部２１１は、適応オフセットパラメータの１つであるマージフラグ(sao_merge_left_flag またはsao_merge_top_flag)を、マージフラグ受け取り部２２３に供給する。シンタクス取得部２１１は、適応オフセットパラメータの１つであるオフセット（係数）を、オフセット受け取り部２２５に供給する。
【０２７３】
なお、適応オフセットパラメータのうち、SAOフラグは、スライス毎に設定されて伝送されてくる。適応オフセットパラメータのうち、タイプ情報、マージフラグ、およびオフセットなどは、LCU毎に設定されて伝送されてくる。タイプ情報は、例えば、PPS(Picture Parameter Set)またはスライス単位で伝送されてくる。
【０２７４】
SAOフラグ受け取り部２２１は、シンタクス取得部２１１から供給されるコンポーネント毎のON/OFFを示すSAOフラグを、フィルタ処理部２２６に供給する。タイプ受け取り部２２２は、シンタクス取得部２１１から供給されるコンポーネントで共通のフィルタタイプ情報をフィルタ処理部２２６に供給する。マージフラグ受け取り部２２３は、シンタクス取得部２１１から供給されるマージフラグを、オフセットバッファ２２４に供給する。オフセット受け取り部２２５は、シンタクス取得部２１１から取得されるオフセットを、オフセットバッファ２２４およびフィルタ処理部２２６に供給する。
【０２７５】
オフセットバッファ２２４は、カレントLCUに隣接するLCUのオフセットを保持している。オフセットバッファ２２４には、少なくともカレントLCUの左LCUと上LCUのオフセットが保持されていればよい。オフセットバッファ２２４は、マージフラグ受け取り部２２３からのカレントLCUについてのマージフラグを受け取ると、マージフラグが示す隣接LCU（左or上）に対応して記憶しているオフセットを読み出して、フィルタ処理部２２６に供給する。そして、オフセットバッファ２２４は、読み出したオフセットを、カレントLCUに対応させて記憶させる。また、オフセットバッファ２２４は、オフセット受け取り部２２５からカレントLCUについてのオフセットを受け取ると、受け取ったオフセットをカレントLCUに対応して記憶させる。
【０２７６】
フィルタ処理部２２６は、SAOフラグ受け取り部２２１、タイプ受け取り部２２２、オフセットバッファ２２４、オフセット受け取り部２２５からの情報を参照して、デブロッキングフィルタ６６からのデブロッキング後の画素値に対してフィルタ処理を行う。
【０２７７】
すなわち、フィルタ処理部２２６においては、SAOフラグ受け取り部２２１からのSAOフラグ、タイプ受け取り部２２２からのコンポーネント間で共通化されたフィルタタイプ、オフセットバッファ２２４またはオフセット受け取り部２２５からのオフセットが参照される。
【０２７８】
フィルタ処理部２２６は、オフセット処理後の画素を画像バッファ２２７に供給する。
【０２７９】
画像バッファ２２７は、図１０の画像バッファ１１７と基本的に同様に構成されている。すなわち、画像バッファ２２７は、フィルタ処理部２２６によるオフセット処理後の画素値を一旦格納し、所定のタイミングで、適応ループフィルタ８２に供給する。
【０２８０】
［復号側の適応オフセットフィルタ処理］
次に、図１７のフローチャートを参照して、図１６の適応オフセットフィルタ８１が行う適応オフセットフィルタ処理について説明する。なお、この適応オフセットフィルタ処理は、図４のステップＳ５９における処理である。
【０２８１】
図４のステップＳ５２において、符号化ストリームが復号される際に、シンタクス取得部２１１は、符号化ストリームのヘッダ部からシンタクスを読み出し、そのうち、適応オフセットパラメータを、適応オフセットフィルタ８１の各部に供給する。
【０２８２】
SAOフラグ受け取り部２２１は、ステップＳ２１１において、シンタクス取得部２１１から供給された適応オフセットパラメータのSAOフラグ（slice_sample_adaptive_offset_flag）を受け取る。SAOフラグ受け取り部２２１は、受け取ったSAOフラグを、フィルタ処理部２２６に供給する。
【０２８３】
フィルタ処理部２２６は、ステップＳ２１２において、コンポーネントID(cIdx)＝０とする。
【０２８４】
フィルタ処理部２２６は、ステップＳ２１３において、slice_sample_adaptive_offset_flag[０ or １or ２]＝１であるか否かを判定する。すなわち、ステップＳ２１３においては、Ｙ、Ｃｂ、Ｃｒのうちの少なくとも１つの適応オフセットフィルタを適用するか否かが判定される。
【０２８５】
ステップＳ２１３において、slice_sample_adaptive_offset_flag[０ or １or ２]＝１である、すなわち、Ｙ、Ｃｂ、Ｃｒのうちの少なくとも１つの適応オフセットフィルタを適用すると判定された場合、処理は、ステップＳ２１４に進む。
【０２８６】
ステップＳ２１４において、フィルタ処理部２２６は、シンタクス取得部２１１からのコンポーネント間で共通化されたフィルタタイプ情報（sao_type）を、タイプ受け取り部２２２を介して受け取る。
【０２８７】
ステップＳ２１３において、slice_sample_adaptive_offset_flag[０ and １and ２]＝０である、すなわち、Ｙ、Ｃｂ、Ｃｒのすべての適応オフセットフィルタを適用しないと判定された場合、処理は、ステップＳ２１４をスキップし、ステップＳ２１５に進む。
【０２８８】
ステップＳ２１５において、フィルタ処理部２２６は、cIdx＜３であるか否かを判定する。ステップＳ２１５において、cIdx＜３であると判定された場合、処理は、ステップＳ２１６に進む。
【０２８９】
ステップＳ２１６において、フィルタ処理部２２６は、slice_sample_adaptive_offset_flag[cIdx]＝１であるか否かを判定する。
【０２９０】
ステップＳ２１６において、slice_sample_adaptive_offset_flag[cIdx]＝１である（すなわち、cIdxに対する適応オフセットフィルタを行う）と判定された場合、処理は、ステップＳ２１７進む。
【０２９１】
ステップＳ２１７において、フィルタ処理部２２６はcIdx（＝０）に対するSAO制御情報を受け取る。このSAO制御情報受け取り処理は、図１８を参照して後述されるが、この処理により、マージフラグまたはオフセットが受け取られ、受け取られたマージフラグにより読み出されたオフセット、または受け取られたオフセットが、フィルタ処理部２２６に供給される。
【０２９２】
ステップＳ２１７の後、処理は、ステップＳ２１８に進む。また、ステップＳ２１６においてslice_sample_adaptive_offset_flag[cIdx]＝０である（すなわち、cIdxに対する適応オフセットフィルタを行わない）と判定された場合、処理は、ステップＳ２１７をスキップし、ステップＳ２１８に進む。
【０２９３】
ステップＳ２１８において、フィルタ処理部２２６は、デブロッキングフィルタ６６からのデブロック処理後画素に対して、適応フィルタ処理を行う。このとき、ステップＳ２１４により受け取られたフィルタのタイプと、ステップＳ２１１で受け取られた対応するcIdxのSAOフラグ、さらに、ステップＳ２１７により取得されたオフセットに基づいて、適応フィルタ処理が行われる。
【０２９４】
フィルタ処理部２２６は、オフセット処理後の画素値を、画像バッファ２２７に供給する。画像バッファ２２７は、フィルタ処理部２２６によるオフセット処理後の画素値を一旦格納し、所定のタイミングで、適応ループフィルタ４２に供給する。
【０２９５】
フィルタ処理部２２６は、ステップＳ２１９において、cIdx++（すなわち、cIdx＝１）とし、処理は、ステップＳ２１５に戻る。また、ステップＳ２１５において、cIdx＜３ではないと判定された場合、処理は、ステップＳ２２０に進む。
【０２９６】
ステップＳ２２０において、フィルタ処理部２２６は、現在処理中のカレントLCUが最後のLCUであるか否かが判定される。ステップＳ２２０において、現在処理中のカレントLCUが最後のLCUではないと判定された場合、処理は、ステップＳ２２１に進む。ステップＳ２２１において、カレントLCUを次のLCUに移行させ、処理は、ステップＳ２１２に戻る。
【０２９７】
ステップＳ２２０において、現在処理中のカレントLCUが最後のLCUであると判定された場合、適応オフセットフィルタ処理は終了される。
【０２９８】
[SAO制御情報設定処理]
次に、図１８のフローチャートを参照して、図１７のステップＳ２１７のSAO制御情報受け取り処理を説明する。
【０２９９】
ステップＳ２３１において、マージフラグ受け取り部２２３は、マージフラグを受け取る。ステップＳ２３２において、マージフラグ受け取り部２２３は、sao_merge_left_flagが１であるか否かを判定する。ステップＳ２３２において、sao_merge_left_flagが１であると判定された場合、処理は、ステップＳ２３３に進む。
【０３００】
ステップＳ２３３において、マージフラグ受け取り部２２３は、オフセットバッファ２２４を制御し、左LCUのオフセットを読み出させ、オフセットバッファ２２４は、読み出した左LCUのオフセットを、フィルタ処理部２２６に供給する。
【０３０１】
一方、ステップＳ２３２において、sao_merge_left_flagが０であると判定された場合、処理は、ステップＳ２３４に進む。ステップＳ２３４において、マージフラグ受け取り部２２３は、sao_merge_top_flagが１であるか否かを判定する。ステップＳ２３４において、sao_merge_top_flagが１であると判定された場合、処理は、ステップＳ２３５に進む。
【０３０２】
ステップＳ２３５において、マージフラグ受け取り部２２３は、オフセットバッファ２２４を制御し、上LCUのオフセットを読み出させ、オフセットバッファ２２４は、読み出した上LCUのオフセットを、フィルタ処理部２２６に供給する。
【０３０３】
また、ステップＳ２３４において、sao_merge_top_flagが０であると判定された場合、処理は、ステップＳ２３６に進む。ステップＳ２３６において、オフセット受け取り部２２５は、シンタクス取得部２１１からのオフセットを受け取り、フィルタ処理部２２６に供給する。また、オフセット受け取り部２２５は、受け取ったオフセットを、オフセットバッファ２２４にも供給する。
【０３０４】
ステップＳ２３７において、オフセットバッファ２２４は、ステップＳ２３３またはＳ２３５で読み出したオフセット、または、オフセット受け取り部２２５からのオフセットを、カレントLCUのオフセットとしてバッファに書きこむ。
【０３０５】
以上のように、フィルタのタイプを示す情報が、Ｙ，Ｃｂ，Ｃｒのコンポーネント間、すなわち、輝度および色差の成分間で共通化して送られてくるので、係数（オフセット）のみを各コンポーネント間で独立して伝送することとなり、符号化量を減らすことができる。
【０３０６】
［適応オフセットフィルタの他の構成例］
図１９は、図３の画像復号装置における可逆復号部および適応オフセットフィルタの構成例を示すブロック図である。なお、図１９に示す構成例は、図１３の適応オフセットフィルタと可逆符号化部に対応している。
【０３０７】
図１９の例において、可逆復号部６２は、シンタクス取得部２１１がシンタクス取得部２４１と入れ替わった点が、図１６の可逆復号部６２と異なっている。
【０３０８】
適応オフセットフィルタ８１は、SAOフラグ受け取り部２２１、マージフラグ受け取り部２２３、オフセットバッファ２２４、オフセット受け取り部２２５、フィルタ処理部２２６、および画像バッファ２２７を備える点が、図１６の適応オフセットフィルタ８１と共通している。
【０３０９】
また、適応オフセットフィルタ８１は、タイプ受け取り部２２２が、Ｙタイプ受け取り部２６１およびＣｍタイプ受け取り部２６２からなるタイプ受け取り部２５１に入れ替わった点が、図１６の適応オフセットフィルタ８１と異なっている。
【０３１０】
すなわち、図１６の例においては、適応オフセットパラメータの１つとして、Ｙ，Ｃｂ，Ｃｒで共通化されたフィルタのタイプ情報が送られてきた。これに対して、図１９の例においては、Ｙのフィルタのタイプ情報、およびＣｂとＣｒとで共通化されたフィルタのタイプ情報が送られてくる。
【０３１１】
シンタクス取得部２４１は、図１６のシンタクス取得部２１１と同様に、SAOフラグ（slice_sample_adaptive_offset_flag）を取得し、SAOフラグ受け取り部２２１に供給する。シンタクス取得部２４１は、図１６のシンタクス取得部２１１と同様に、マージフラグ(sao_merge_left_flag またはsao_merge_top_flag) を取得し、マージフラグ受け取り部２２３に供給する。シンタクス取得部２４１は、図１６のシンタクス取得部２１１と同様に、オフセットを取得し、オフセット受け取り部２２５に供給する。
【０３１２】
一方、シンタクス取得部２４１は、図１６のシンタクス取得部２１１と異なり、Ｙのフィルタのタイプ情報、およびＣｂとＣｒとで共通化されたフィルタのタイプ情報を取得し、Ｙタイプ受け取り部２６１およびＣｍタイプ受け取り部２６２にそれぞれ供給する。
【０３１３】
Ｙタイプ受け取り部２６１は、シンタクス取得部２１１から供給されるＹのフィルタタイプ情報をフィルタ処理部２２６に供給する。Ｃｍタイプ受け取り部２６２は、シンタクス取得部２１１から供給されるＣｂとＣｒとで共通化されたＣｍのフィルタタイプ情報をフィルタ処理部２２６に供給する。
【０３１４】
［復号側の適応オフセットフィルタ処理］
次に、図２０のフローチャートを参照して、図１９の適応オフセットフィルタ８１が行う適応オフセットフィルタ処理について説明する。なお、この適応オフセットフィルタ処理は、図４のステップＳ５９における処理である。
【０３１５】
SAOフラグ受け取り部２２１は、ステップＳ２６１において、シンタクス取得部２１１から供給された適応オフセットパラメータのSAOフラグ（slice_sample_adaptive_offset_flag）を受け取る。SAOフラグ受け取り部２２１は、受け取ったSAOフラグを、フィルタ処理部２２６に供給する。
【０３１６】
フィルタ処理部２２６は、ステップＳ２６２において、コンポーネントID(cIdx)＝０とする。フィルタ処理部２２６は、ステップＳ２６３において、slice_sample_adaptive_offset_flag[０]＝１であるか否かを判定する。すなわち、ステップＳ２６３においては、Ｙの適応オフセットフィルタを適用するか否かが判定される。
【０３１７】
ステップＳ２６３において、slice_sample_adaptive_offset_flag[０]＝１である、すなわち、Ｙの適応オフセットフィルタを適用すると判定された場合、処理は、ステップＳ２６４に進む。
【０３１８】
ステップＳ２６４において、フィルタ処理部２２６は、シンタクス取得部２４１からのＹのフィルタタイプ情報（sao_type_Y）を、Ｙタイプ受け取り部２６１を介して受け取る。
【０３１９】
一方、ステップＳ２６３において、slice_sample_adaptive_offset_flag[０]＝０である、すなわち、Ｙの適応オフセットフィルタを適用しないと判定された場合、処理は、ステップＳ２６４をスキップし、ステップＳ２６５に進む。
【０３２０】
ステップＳ２６５において、フィルタ処理部２２６は、slice_sample_adaptive_offset_flag[１ or ２]＝１であるか否かを判定する。ステップＳ２６５においては、ＣｂまたはＣｒの適応オフセットフィルタを適用するか否かが判定される。
【０３２１】
ステップＳ２６５において、slice_sample_adaptive_offset_flag[１ or ２]＝１である、すなわち、ＣｂまたはＣｒの適応オフセットフィルタを適用すると判定された場合、処理は、ステップＳ２６６に進む。
【０３２２】
ステップＳ２６６において、フィルタ処理部２２６は、シンタクス取得部２４１からのＣｍのフィルタタイプ情報（sao_type_Cm）を、Ｃｍタイプ受け取り部２６２を介して受け取る。
【０３２３】
また、ステップＳ２６５において、slice_sample_adaptive_offset_flag[１ and ２]＝０である、すなわち、ＣｂおよびＣｒの適応オフセットフィルタを適用しないと判定された場合、処理は、ステップＳ２６６をスキップし、ステップＳ２６７に進む。
【０３２４】
なお、以降のＳ２６７乃至Ｓ２７３は、図１７のステップＳ２１５乃至Ｓ２２１と基本的に同様の処理であり、その説明は繰り返しになるので省略される。
【０３２５】
以上のように、ＣｂおよびＣｒの色差のコンポーネント間のみにおいて、フィルタのタイプ情報を共通化することも可能である。この場合も、符号量を削減することができる。
【０３２６】
なお、上記説明においては、輝度、色度のすべてのコンポーネント間でタイプを共通化する例と、色差のコンポーネント間のみでタイプを共通化する例について説明してきたが、それらの両方のモードを有し、選択的に用いるようにすることもできる。
【０３２７】
すなわち、輝度、色度のすべてのコンポーネント間でタイプを共通化するモードを全共通モードとして、色差のコンポーネント間のみでタイプを共通化するモードを色差共通モードとして２種類のモードを有するようにしてもよい。この場合、符号化側でどちらのモードを使用したかを識別するモード識別情報を復号側に送るようにしてもよい。
【０３２８】
そして、この場合、復号側においては、伝送されてきたモード識別情報を受け取り、受け取ったモード識別情報を用いてモードが設定され、適応オフセットフィルタが行われる。
【０３２９】
以上のように、フィルタのタイプ情報を、輝度信号および色差信号の各コンポーネント間で共通化して送信するようにした。これにより、符号量を削減することができ、符号化効率を向上させることができる。
【０３３０】
なお、上記説明においては、カラーフォーマットが、4:2:0の場合について説明してきたが、本技術は、4:2:2や4:4:4などの他のカラーフォーマットにも適用することができる。
【０３３１】
また、例えば、choma_format_idcを用いて、4:2:0(choma_format_idc==1)の場合、全てのコンポーネント間でSAOタイプの共通化とし、4:4:4(choma_format_idc==3)の場合、SAOタイプの共通化を行わない、4:2:2(choma_format_idc==2)の場合、Ｃｂ／Ｃｒ間のみのSAOタイプの共通化とするようにすることもできる。すなわち、カラーフォーマットによって、上述した全共通モードまたは色差共通モードを決めるようにしてもよい。
【０３３２】
また、上記説明においては、輝度および色差がＹ，Ｃｂ，Ｃｒのカラースペースの例について説明してきたが、輝度および色差がＹ，Ｕ，Ｖなどの他のカラースペースにも適用することができる。
【０３３３】
以上においては、符号化方式としてHEVC方式をベースに用いるようにした。ただし、本開示はこれに限らず、インループフィルタとして、少なくとも適応オフセットフィルタを含む、その他の符号化方式／復号方式を適用することができる。
【０３３４】
なお、本開示は、例えば、HEVC方式等の様に、離散コサイン変換等の直交変換と動き補償によって圧縮された画像情報（ビットストリーム）を、衛星放送、ケーブルテレビジョン、インターネット、または携帯電話機などのネットワークメディアを介して受信する際に用いられる画像符号化装置および画像復号装置に適用することができる。また、本開示は、光、磁気ディスク、およびフラッシュメモリのような記憶メディア上で処理する際に用いられる画像符号化装置および画像復号装置に適用することができる。
【０３３５】
＜５．第３の実施の形態＞
［多視画像点符号化・多視点画像復号への適用］
上述した一連の処理は、多視点画像符号化・多視点画像復号に適用することができる。図２１は、多視点画像符号化方式の一例を示す。
【０３３６】
図２１に示されるように、多視点画像は、複数の視点の画像を含み、その複数の視点のうちの所定の１つの視点の画像が、ベースビューの画像に指定されている。ベースビューの画像以外の各視点の画像は、ノンベースビューの画像として扱われる。
【０３３７】
図２１のような多視点画像符号化を行う場合、各ビュー（同一ビュー）において、適応オフセットフィルタパラメータ（上述したSAOフラグ、フィルタのタイプ情報、オフセット、およびモード識別情報など）を設定することができる。また、各ビュー(異なるビュー)において、他のビューで設定された適応オフセットフィルタパラメータを共有することもできる。
【０３３８】
この場合、ベースビューにおいて設定された適応オフセットフィルタパラメータが、少なくとも１つのノンベースビューで用いられる。あるいは、例えば、ノンベースビュー(view_id=i)において設定された適応オフセットフィルタパラメータが、ベースビューおよびノンベースビュー(view_id=j)の少なくともどちらか一方で用いられる。
【０３３９】
これにより、符号量を削減することができる。
【０３４０】
［多視点画像符号化装置］
図２２は、上述した多視点画像符号化を行う多視点画像符号化装置を示す図である。図２２に示されるように、多視点画像符号化装置６００は、符号化部６０１、符号化部６０２、および多重化部６０３を有する。
【０３４１】
符号化部６０１は、ベースビュー画像を符号化し、ベースビュー画像符号化ストリームを生成する。符号化部６０２は、ノンベースビュー画像を符号化し、ノンベースビュー画像符号化ストリームを生成する。多重化部６０３は、符号化部６０１において生成されたベースビュー画像符号化ストリームと、符号化部６０２において生成されたノンベースビュー画像符号化ストリームとを多重化し、多視点画像符号化ストリームを生成する。
【０３４２】
この多視点画像符号化装置６００の符号化部６０１および符号化部６０２に対して、画像符号化装置１１（図１）を適用することができる。この場合、多視点画像符号化装置６００は、符号化部６０１が設定した適応オフセットフィルタパラメータと、符号化部６０２が設定した適応オフセットフィルタパラメータとを設定して伝送させる。
【０３４３】
なお、上述したように符号化部６０１が設定した適応オフセットフィルタパラメータを、符号化部６０１および符号化部６０２で共有して用いるように設定して伝送させるようにしてもよい。逆に、符号化部６０２がまとめて設定した適応オフセットフィルタパラメータを、符号化部６０１および符号化部６０２で共有して用いるように設定して伝送させるようにしてもよい。
【０３４４】
［多視点画像復号装置］
図２３は、上述した多視点画像復号を行う多視点画像復号装置を示す図である。図２３に示されるように、多視点画像復号装置６１０は、逆多重化部６１１、復号部６１２、および復号部６１３を有する。
【０３４５】
逆多重化部６１１は、ベースビュー画像符号化ストリームとノンベースビュー画像符号化ストリームとが多重化された多視点画像符号化ストリームを逆多重化し、ベースビュー画像符号化ストリームと、ノンベースビュー画像符号化ストリームとを抽出する。復号部６１２は、逆多重化部６１１により抽出されたベースビュー画像符号化ストリームを復号し、ベースビュー画像を得る。復号部６１３は、逆多重化部６１１により抽出されたノンベースビュー画像符号化ストリームを復号し、ノンベースビュー画像を得る。
【０３４６】
この多視点画像復号装置６１０の復号部６１２および復号部６１３に対して、画像復号装置５１（図３）を適用することができる。この場合、多視点画像復号装置６１０は、符号化部６０１が設定し、復号部６１２が復号した適応オフセットフィルタパラメータと、符号化部６０２が設定し、復号部６１３が復号した適応オフセットフィルタパラメータを用いて処理を行う。
【０３４７】
なお、上述したように符号化部６０１（または、符号化部６０２）が設定した適応オフセットフィルタパラメータを、符号化部６０１および符号化部６０２で共有して用いるように設定して伝送されている場合がある。この場合、多視点画像復号装置６１０においては、符号化部６０１（または、符号化部６０２）が設定し、復号部６１２（または復号部６１３）が復号した適応オフセットフィルタパラメータを用いて処理が行われる。
【０３４８】
＜６．第４の実施の形態＞
［階層画像点符号化・階層画像復号への適用］
上述した一連の処理は、階層画像符号化・階層画像復号に適用することができる。図２４は、多視点画像符号化方式の一例を示す。
【０３４９】
図２４に示されるように、階層画像は、複数の階層(解像度)の画像を含み、その複数の解像度のうちの所定の１つの階層の画像が、ベースレイヤの画像に指定されている。ベースレイヤの画像以外の各階層の画像は、ノンベースレイヤの画像として扱われる。
【０３５０】
図２４のような階層画像符号化(空間スケーラビリティ)を行う場合、各レイヤ(同一レイヤ)において、適応オフセットフィルタパラメータを設定することができる。また、各レイヤ(異なるレイヤ)において、他のレイヤで設定された適応オフセットフィルタパラメータを共有することができる。
【０３５１】
この場合、ベースレイヤにおいて設定された適応オフセットフィルタパラメータが、少なくとも１つのノンベースレイヤで用いられる。あるいは、例えば、ノンベースレイヤ(layer _id=i)において設定された適応オフセットフィルタパラメータが、ベースレイヤおよびノンベースレイヤ(layer_id=j)の少なくともどちらか一方で用いられる。
【０３５２】
これにより、符号量を削減することができる。
【０３５３】
［階層画像符号化装置］
図２５は、上述した階層画像符号化を行う階層画像符号化装置を示す図である。図２５に示されるように、階層画像符号化装置６２０は、符号化部６２１、符号化部６２２、および多重化部６２３を有する。
【０３５４】
符号化部６２１は、ベースレイヤ画像を符号化し、ベースレイヤ画像符号化ストリームを生成する。符号化部６２２は、ノンベースレイヤ画像を符号化し、ノンベースレイヤ画像符号化ストリームを生成する。多重化部６２３は、符号化部６２１において生成されたベースレイヤ画像符号化ストリームと、符号化部６２２において生成されたノンベースレイヤ画像符号化ストリームとを多重化し、階層画像符号化ストリームを生成する。
【０３５５】
この階層画像符号化装置６２０の符号化部６２１および符号化部６２２に対して、画像符号化装置１１（図１）を適用することができる。この場合、階層画像符号化装置６２０は、符号化部６２１が設定した適応オフセットフィルタパラメータと、符号化部６０２が設定した適応オフセットフィルタパラメータとを設定して伝送させる。
【０３５６】
なお、上述したように符号化部６２１が設定した適応オフセットフィルタパラメータを、符号化部６２１および符号化部６２２で共有して用いるように設定して伝送させるようにしてもよい。逆に、符号化部６２２が設定した適応オフセットフィルタパラメータを、符号化部６２１および符号化部６２２で共有して用いるように設定して伝送させるようにしてもよい。
【０３５７】
［階層画像復号装置］
図２６は、上述した階層画像復号を行う階層画像復号装置を示す図である。図２６に示されるように、階層画像復号装置６３０は、逆多重化部６３１、復号部６３２、および復号部６３３を有する。
【０３５８】
逆多重化部６３１は、ベースレイヤ画像符号化ストリームとノンベースレイヤ画像符号化ストリームとが多重化された階層画像符号化ストリームを逆多重化し、ベースレイヤ画像符号化ストリームと、ノンベースレイヤ画像符号化ストリームとを抽出する。復号部６３２は、逆多重化部６３１により抽出されたベースレイヤ画像符号化ストリームを復号し、ベースレイヤ画像を得る。復号部６３３は、逆多重化部６３１により抽出されたノンベースレイヤ画像符号化ストリームを復号し、ノンベースレイヤ画像を得る。
【０３５９】
この階層画像復号装置６３０の復号部６３２および復号部６３３に対して、画像復号装置５１（図３）を適用することができる。この場合、階層画像復号装置６３０は、符号化部６２１が設定し、復号部６３２が復号した適応オフセットフィルタパラメータと、符号化部６２２が設定し、復号部６３３が復号した適応オフセットフィルタパラメータを用いて処理を行う。
【０３６０】
なお、上述したように符号化部６２１（または、符号化部６２２）が設定した適応オフセットフィルタパラメータを、符号化部６２１および符号化部６２２で共有して用いるように設定して伝送されている場合がある。この場合、階層画像復号装置６３０においては、符号化部６２１（または、符号化部６２２）が設定し、復号部６３２（または、復号部６３３）が復号した適応オフセットフィルタパラメータを用いて処理が行われる。
【０３６１】
＜７．第５の実施の形態＞
［コンピュータの構成例］
上述した一連の処理は、ハードウエアにより実行することもできるし、ソフトウエアにより実行することもできる。一連の処理をソフトウエアにより実行する場合には、そのソフトウエアを構成するプログラムが、コンピュータにインストールされる。ここで、コンピュータには、専用のハードウエアに組み込まれているコンピュータや、各種のプログラムをインストールすることで、各種の機能を実行することが可能な、例えば汎用のパーソナルコンピュータなどが含まれる。
【０３６２】
図２７は、上述した一連の処理をプログラムにより実行するコンピュータのハードウエアの構成例を示すブロック図である。
【０３６３】
コンピュータ８００において、CPU（Central Processing Unit）８０１，ROM（Read Only Memory）８０２，RAM（Random Access Memory）８０３は、バス８０４により相互に接続されている。
【０３６４】
バス８０４には、さらに、入出力インタフェース８０５が接続されている。入出力インタフェース８０５には、入力部８０６、出力部８０７、記憶部８０８、通信部８０９、及びドライブ８１０が接続されている。
【０３６５】
入力部８０６は、キーボード、マウス、マイクロホンなどよりなる。出力部８０７は、ディスプレイ、スピーカなどよりなる。記憶部８０８は、ハードディスクや不揮発性のメモリなどよりなる。通信部８０９は、ネットワークインタフェースなどよりなる。ドライブ８１０は、磁気ディスク、光ディスク、光磁気ディスク、又は半導体メモリなどのリムーバブルメディア８１１を駆動する。
【０３６６】
以上のように構成されるコンピュータでは、CPU８０１が、例えば、記憶部８０８に記憶されているプログラムを、入出力インタフェース８０５及びバス８０４を介して、RAM８０３にロードして実行することにより、上述した一連の処理が行われる。
【０３６７】
コンピュータ８００（CPU８０１）が実行するプログラムは、例えば、パッケージメディア等としてのリムーバブルメディア８１１に記録して提供することができる。また、プログラムは、ローカルエリアネットワーク、インターネット、デジタル衛星放送といった、有線または無線の伝送媒体を介して提供することができる。
【０３６８】
コンピュータでは、プログラムは、リムーバブルメディア８１１をドライブ８１０に装着することにより、入出力インタフェース８０５を介して、記憶部８０８にインストールすることができる。また、プログラムは、有線または無線の伝送媒体を介して、通信部８０９で受信し、記憶部８０８にインストールすることができる。その他、プログラムは、ROM８０２や記憶部８０８に、あらかじめインストールしておくことができる。
【０３６９】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０３７０】
また、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０３７１】
また、本明細書において、システムとは、複数のデバイス（装置）により構成される装置全体を表すものである。
【０３７２】
また、以上において、１つの装置（または処理部）として説明した構成を分割し、複数の装置（または処理部）として構成するようにしてもよい。逆に、以上において複数の装置（または処理部）として説明した構成をまとめて１つの装置（または処理部）として構成されるようにしてもよい。また、各装置（または各処理部）の構成に上述した以外の構成を付加するようにしてももちろんよい。さらに、システム全体としての構成や動作が実質的に同じであれば、ある装置（または処理部）の構成の一部を他の装置（または他の処理部）の構成に含めるようにしてもよい。つまり、本技術は、上述した実施の形態に限定されるものではなく、本技術の要旨を逸脱しない範囲において種々の変更が可能である。
【０３７３】
上述した実施形態に係る画像符号化装置及び画像復号装置は、衛星放送、ケーブルＴＶなどの有線放送、インターネット上での配信、及びセルラー通信による端末への配信などにおける送信機若しくは受信機、光ディスク、磁気ディスク及びフラッシュメモリなどの媒体に画像を記録する記録装置、又は、これら記憶媒体から画像を再生する再生装置などの様々な電子機器に応用され得る。以下、４つの応用例について説明する。
【０３７４】
＜８．応用例＞
［第１の応用例：テレビジョン受像機］
図２８は、上述した実施形態を適用したテレビジョン装置の概略的な構成の一例を示している。テレビジョン装置９００は、アンテナ９０１、チューナ９０２、デマルチプレクサ９０３、デコーダ９０４、映像信号処理部９０５、表示部９０６、音声信号処理部９０７、スピーカ９０８、外部インタフェース９０９、制御部９１０、ユーザインタフェース９１１、及びバス９１２を備える。
【０３７５】
チューナ９０２は、アンテナ９０１を介して受信される放送信号から所望のチャンネルの信号を抽出し、抽出した信号を復調する。そして、チューナ９０２は、復調により得られた符号化ビットストリームをデマルチプレクサ９０３へ出力する。即ち、チューナ９０２は、画像が符号化されている符号化ストリームを受信する、テレビジョン装置９００における伝送手段としての役割を有する。
【０３７６】
デマルチプレクサ９０３は、符号化ビットストリームから視聴対象の番組の映像ストリーム及び音声ストリームを分離し、分離した各ストリームをデコーダ９０４へ出力する。また、デマルチプレクサ９０３は、符号化ビットストリームからEPG（Electronic Program Guide）などの補助的なデータを抽出し、抽出したデータを制御部９１０に供給する。なお、デマルチプレクサ９０３は、符号化ビットストリームがスクランブルされている場合には、デスクランブルを行ってもよい。
【０３７７】
デコーダ９０４は、デマルチプレクサ９０３から入力される映像ストリーム及び音声ストリームを復号する。そして、デコーダ９０４は、復号処理により生成される映像データを映像信号処理部９０５へ出力する。また、デコーダ９０４は、復号処理により生成される音声データを音声信号処理部９０７へ出力する。
【０３７８】
映像信号処理部９０５は、デコーダ９０４から入力される映像データを再生し、表示部９０６に映像を表示させる。また、映像信号処理部９０５は、ネットワークを介して供給されるアプリケーション画面を表示部９０６に表示させてもよい。また、映像信号処理部９０５は、映像データについて、設定に応じて、例えばノイズ除去などの追加的な処理を行ってもよい。さらに、映像信号処理部９０５は、例えばメニュー、ボタン又はカーソルなどのGUI（Graphical User Interface）の画像を生成し、生成した画像を出力画像に重畳してもよい。
【０３７９】
表示部９０６は、映像信号処理部９０５から供給される駆動信号により駆動され、表示デバイス（例えば、液晶ディスプレイ、プラズマディスプレイ又はOELD（Organic ElectroLuminescence Display）（有機ELディスプレイ）など）の映像面上に映像又は画像を表示する。
【０３８０】
音声信号処理部９０７は、デコーダ９０４から入力される音声データについてD/A変換及び増幅などの再生処理を行い、スピーカ９０８から音声を出力させる。また、音声信号処理部９０７は、音声データについてノイズ除去などの追加的な処理を行ってもよい。
【０３８１】
外部インタフェース９０９は、テレビジョン装置９００と外部機器又はネットワークとを接続するためのインタフェースである。例えば、外部インタフェース９０９を介して受信される映像ストリーム又は音声ストリームが、デコーダ９０４により復号されてもよい。即ち、外部インタフェース９０９もまた、画像が符号化されている符号化ストリームを受信する、テレビジョン装置９００における伝送手段としての役割を有する。
【０３８２】
制御部９１０は、CPUなどのプロセッサ、並びにRAM及びROMなどのメモリを有する。メモリは、CPUにより実行されるプログラム、プログラムデータ、EPGデータ、及びネットワークを介して取得されるデータなどを記憶する。メモリにより記憶されるプログラムは、例えば、テレビジョン装置９００の起動時にCPUにより読み込まれ、実行される。CPUは、プログラムを実行することにより、例えばユーザインタフェース９１１から入力される操作信号に応じて、テレビジョン装置９００の動作を制御する。
【０３８３】
ユーザインタフェース９１１は、制御部９１０と接続される。ユーザインタフェース９１１は、例えば、ユーザがテレビジョン装置９００を操作するためのボタン及びスイッチ、並びに遠隔制御信号の受信部などを有する。ユーザインタフェース９１１は、これら構成要素を介してユーザによる操作を検出して操作信号を生成し、生成した操作信号を制御部９１０へ出力する。
【０３８４】
バス９１２は、チューナ９０２、デマルチプレクサ９０３、デコーダ９０４、映像信号処理部９０５、音声信号処理部９０７、外部インタフェース９０９及び制御部９１０を相互に接続する。
【０３８５】
このように構成されたテレビジョン装置９００において、デコーダ９０４は、上述した実施形態に係る画像復号装置の機能を有する。それにより、テレビジョン装置９００での画像の復号に際して、符号量を削減することができる。
【０３８６】
［第２の応用例：携帯電話機］
図２９は、上述した実施形態を適用した携帯電話機の概略的な構成の一例を示している。携帯電話機９２０は、アンテナ９２１、通信部９２２、音声コーデック９２３、スピーカ９２４、マイクロホン９２５、カメラ部９２６、画像処理部９２７、多重分離部９２８、記録再生部９２９、表示部９３０、制御部９３１、操作部９３２、及びバス９３３を備える。
【０３８７】
アンテナ９２１は、通信部９２２に接続される。スピーカ９２４及びマイクロホン９２５は、音声コーデック９２３に接続される。操作部９３２は、制御部９３１に接続される。バス９３３は、通信部９２２、音声コーデック９２３、カメラ部９２６、画像処理部９２７、多重分離部９２８、記録再生部９２９、表示部９３０、及び制御部９３１を相互に接続する。
【０３８８】
携帯電話機９２０は、音声通話モード、データ通信モード、撮影モード及びテレビ電話モードを含む様々な動作モードで、音声信号の送受信、電子メール又は画像データの送受信、画像の撮像、及びデータの記録などの動作を行う。
【０３８９】
音声通話モードにおいて、マイクロホン９２５により生成されるアナログ音声信号は、音声コーデック９２３に供給される。音声コーデック９２３は、アナログ音声信号を音声データへ変換し、変換された音声データをA/D変換し圧縮する。そして、音声コーデック９２３は、圧縮後の音声データを通信部９２２へ出力する。通信部９２２は、音声データを符号化及び変調し、送信信号を生成する。そして、通信部９２２は、生成した送信信号を、アンテナ９２１を介して基地局（図示せず）へ送信する。また、通信部９２２は、アンテナ９２１を介して受信される無線信号を増幅し及び周波数変換し、受信信号を取得する。そして、通信部９２２は、受信信号を復調及び復号して音声データを生成し、生成した音声データを音声コーデック９２３へ出力する。音声コーデック９２３は、音声データを伸張し及びD/A変換し、アナログ音声信号を生成する。そして、音声コーデック９２３は、生成した音声信号をスピーカ９２４に供給して音声を出力させる。
【０３９０】
また、データ通信モードにおいて、例えば、制御部９３１は、操作部９３２を介するユーザによる操作に応じて、電子メールを構成する文字データを生成する。また、制御部９３１は、文字を表示部９３０に表示させる。また、制御部９３１は、操作部９３２を介するユーザからの送信指示に応じて電子メールデータを生成し、生成した電子メールデータを通信部９２２へ出力する。通信部９２２は、電子メールデータを符号化及び変調し、送信信号を生成する。そして、通信部９２２は、生成した送信信号を、アンテナ９２１を介して基地局（図示せず）へ送信する。また、通信部９２２は、アンテナ９２１を介して受信される無線信号を増幅し及び周波数変換し、受信信号を取得する。そして、通信部９２２は、受信信号を復調及び復号して電子メールデータを復元し、復元した電子メールデータを制御部９３１へ出力する。制御部９３１は、表示部９３０に電子メールの内容を表示させると共に、電子メールデータを記録再生部９２９の記憶媒体に記憶させる。
【０３９１】
記録再生部９２９は、読み書き可能な任意の記憶媒体を有する。例えば、記憶媒体は、RAM又はフラッシュメモリなどの内蔵型の記憶媒体であってもよく、ハードディスク、磁気ディスク、光磁気ディスク、光ディスク、USB（Universal Serial Bus）メモリ、又はメモリカードなどの外部装着型の記憶媒体であってもよい。
【０３９２】
また、撮影モードにおいて、例えば、カメラ部９２６は、被写体を撮像して画像データを生成し、生成した画像データを画像処理部９２７へ出力する。画像処理部９２７は、カメラ部９２６から入力される画像データを符号化し、符号化ストリームを記憶再生部９２９の記憶媒体に記憶させる。
【０３９３】
また、テレビ電話モードにおいて、例えば、多重分離部９２８は、画像処理部９２７により符号化された映像ストリームと、音声コーデック９２３から入力される音声ストリームとを多重化し、多重化したストリームを通信部９２２へ出力する。通信部９２２は、ストリームを符号化及び変調し、送信信号を生成する。そして、通信部９２２は、生成した送信信号を、アンテナ９２１を介して基地局（図示せず）へ送信する。また、通信部９２２は、アンテナ９２１を介して受信される無線信号を増幅し及び周波数変換し、受信信号を取得する。これら送信信号及び受信信号には、符号化ビットストリームが含まれ得る。そして、通信部９２２は、受信信号を復調及び復号してストリームを復元し、復元したストリームを多重分離部９２８へ出力する。多重分離部９２８は、入力されるストリームから映像ストリーム及び音声ストリームを分離し、映像ストリームを画像処理部９２７、音声ストリームを音声コーデック９２３へ出力する。画像処理部９２７は、映像ストリームを復号し、映像データを生成する。映像データは、表示部９３０に供給され、表示部９３０により一連の画像が表示される。音声コーデック９２３は、音声ストリームを伸張し及びD/A変換し、アナログ音声信号を生成する。そして、音声コーデック９２３は、生成した音声信号をスピーカ９２４に供給して音声を出力させる。
【０３９４】
このように構成された携帯電話機９２０において、画像処理部９２７は、上述した実施形態に係る画像符号化装置及び画像復号装置の機能を有する。それにより、携帯電話機９２０での画像の符号化及び復号に際して、符号量を削減することができる。
【０３９５】
［第３の応用例：記録再生装置］
図３０は、上述した実施形態を適用した記録再生装置の概略的な構成の一例を示している。記録再生装置９４０は、例えば、受信した放送番組の音声データ及び映像データを符号化して記録媒体に記録する。また、記録再生装置９４０は、例えば、他の装置から取得される音声データ及び映像データを符号化して記録媒体に記録してもよい。また、記録再生装置９４０は、例えば、ユーザの指示に応じて、記録媒体に記録されているデータをモニタ及びスピーカ上で再生する。このとき、記録再生装置９４０は、音声データ及び映像データを復号する。
【０３９６】
記録再生装置９４０は、チューナ９４１、外部インタフェース９４２、エンコーダ９４３、HDD（Hard Disk Drive）９４４、ディスクドライブ９４５、セレクタ９４６、デコーダ９４７、OSD（On-Screen Display）９４８、制御部９４９、及びユーザインタフェース９５０を備える。
【０３９７】
チューナ９４１は、アンテナ（図示せず）を介して受信される放送信号から所望のチャンネルの信号を抽出し、抽出した信号を復調する。そして、チューナ９４１は、復調により得られた符号化ビットストリームをセレクタ９４６へ出力する。即ち、チューナ９４１は、記録再生装置９４０における伝送手段としての役割を有する。
【０３９８】
外部インタフェース９４２は、記録再生装置９４０と外部機器又はネットワークとを接続するためのインタフェースである。外部インタフェース９４２は、例えば、IEEE1394インタフェース、ネットワークインタフェース、USBインタフェース、又はフラッシュメモリインタフェースなどであってよい。例えば、外部インタフェース９４２を介して受信される映像データ及び音声データは、エンコーダ９４３へ入力される。即ち、外部インタフェース９４２は、記録再生装置９４０における伝送手段としての役割を有する。
【０３９９】
エンコーダ９４３は、外部インタフェース９４２から入力される映像データ及び音声データが符号化されていない場合に、映像データ及び音声データを符号化する。そして、エンコーダ９４３は、符号化ビットストリームをセレクタ９４６へ出力する。
【０４００】
HDD９４４は、映像及び音声などのコンテンツデータが圧縮された符号化ビットストリーム、各種プログラムおよびその他のデータを内部のハードディスクに記録する。また、HDD９４４は、映像及び音声の再生時に、これらデータをハードディスクから読み出す。
【０４０１】
ディスクドライブ９４５は、装着されている記録媒体へのデータの記録及び読み出しを行う。ディスクドライブ９４５に装着される記録媒体は、例えばDVDディスク（DVD-Video、DVD-RAM、DVD-R、DVD-RW、DVD+R、DVD+RW等）又はBlu-ray（登録商標）ディスクなどであってよい。
【０４０２】
セレクタ９４６は、映像及び音声の記録時には、チューナ９４１又はエンコーダ９４３から入力される符号化ビットストリームを選択し、選択した符号化ビットストリームをHDD９４４又はディスクドライブ９４５へ出力する。また、セレクタ９４６は、映像及び音声の再生時には、HDD９４４又はディスクドライブ９４５から入力される符号化ビットストリームをデコーダ９４７へ出力する。
【０４０３】
デコーダ９４７は、符号化ビットストリームを復号し、映像データ及び音声データを生成する。そして、デコーダ９４７は、生成した映像データをOSD９４８へ出力する。また、デコーダ９０４は、生成した音声データを外部のスピーカへ出力する。
【０４０４】
OSD９４８は、デコーダ９４７から入力される映像データを再生し、映像を表示する。また、OSD９４８は、表示する映像に、例えばメニュー、ボタン又はカーソルなどのGUIの画像を重畳してもよい。
【０４０５】
制御部９４９は、CPUなどのプロセッサ、並びにRAM及びROMなどのメモリを有する。メモリは、CPUにより実行されるプログラム、及びプログラムデータなどを記憶する。メモリにより記憶されるプログラムは、例えば、記録再生装置９４０の起動時にCPUにより読み込まれ、実行される。CPUは、プログラムを実行することにより、例えばユーザインタフェース９５０から入力される操作信号に応じて、記録再生装置９４０の動作を制御する。
【０４０６】
ユーザインタフェース９５０は、制御部９４９と接続される。ユーザインタフェース９５０は、例えば、ユーザが記録再生装置９４０を操作するためのボタン及びスイッチ、並びに遠隔制御信号の受信部などを有する。ユーザインタフェース９５０は、これら構成要素を介してユーザによる操作を検出して操作信号を生成し、生成した操作信号を制御部９４９へ出力する。
【０４０７】
このように構成された記録再生装置９４０において、エンコーダ９４３は、上述した実施形態に係る画像符号化装置の機能を有する。また、デコーダ９４７は、上述した実施形態に係る画像復号装置の機能を有する。それにより、記録再生装置９４０での画像の符号化及び復号に際して、符号量を削減することができる。
【０４０８】
［第４の応用例：撮像装置］
図３１は、上述した実施形態を適用した撮像装置の概略的な構成の一例を示している。撮像装置９６０は、被写体を撮像して画像を生成し、画像データを符号化して記録媒体に記録する。
【０４０９】
撮像装置９６０は、光学ブロック９６１、撮像部９６２、信号処理部９６３、画像処理部９６４、表示部９６５、外部インタフェース９６６、メモリ９６７、メディアドライブ９６８、OSD９６９、制御部９７０、ユーザインタフェース９７１、及びバス９７２を備える。
【０４１０】
光学ブロック９６１は、撮像部９６２に接続される。撮像部９６２は、信号処理部９６３に接続される。表示部９６５は、画像処理部９６４に接続される。ユーザインタフェース９７１は、制御部９７０に接続される。バス９７２は、画像処理部９６４、外部インタフェース９６６、メモリ９６７、メディアドライブ９６８、OSD９６９、及び制御部９７０を相互に接続する。
【０４１１】
光学ブロック９６１は、フォーカスレンズ及び絞り機構などを有する。光学ブロック９６１は、被写体の光学像を撮像部９６２の撮像面に結像させる。撮像部９６２は、CCD（Charge Coupled Device）又はCMOS（Complementary Metal Oxide Semiconductor）などのイメージセンサを有し、撮像面に結像した光学像を光電変換によって電気信号としての画像信号に変換する。そして、撮像部９６２は、画像信号を信号処理部９６３へ出力する。
【０４１２】
信号処理部９６３は、撮像部９６２から入力される画像信号に対してニー補正、ガンマ補正、色補正などの種々のカメラ信号処理を行う。信号処理部９６３は、カメラ信号処理後の画像データを画像処理部９６４へ出力する。
【０４１３】
画像処理部９６４は、信号処理部９６３から入力される画像データを符号化し、符号化データを生成する。そして、画像処理部９６４は、生成した符号化データを外部インタフェース９６６又はメディアドライブ９６８へ出力する。また、画像処理部９６４は、外部インタフェース９６６又はメディアドライブ９６８から入力される符号化データを復号し、画像データを生成する。そして、画像処理部９６４は、生成した画像データを表示部９６５へ出力する。また、画像処理部９６４は、信号処理部９６３から入力される画像データを表示部９６５へ出力して画像を表示させてもよい。また、画像処理部９６４は、OSD９６９から取得される表示用データを、表示部９６５へ出力する画像に重畳してもよい。
【０４１４】
OSD９６９は、例えばメニュー、ボタン又はカーソルなどのGUIの画像を生成して、生成した画像を画像処理部９６４へ出力する。
【０４１５】
外部インタフェース９６６は、例えばUSB入出力端子として構成される。外部インタフェース９６６は、例えば、画像の印刷時に、撮像装置９６０とプリンタとを接続する。また、外部インタフェース９６６には、必要に応じてドライブが接続される。ドライブには、例えば、磁気ディスク又は光ディスクなどのリムーバブルメディアが装着され、リムーバブルメディアから読み出されるプログラムが、撮像装置９６０にインストールされ得る。さらに、外部インタフェース９６６は、LAN又はインターネットなどのネットワークに接続されるネットワークインタフェースとして構成されてもよい。即ち、外部インタフェース９６６は、撮像装置９６０における伝送手段としての役割を有する。
【０４１６】
メディアドライブ９６８に装着される記録媒体は、例えば、磁気ディスク、光磁気ディスク、光ディスク、又は半導体メモリなどの、読み書き可能な任意のリムーバブルメディアであってよい。また、メディアドライブ９６８に記録媒体が固定的に装着され、例えば、内蔵型ハードディスクドライブ又はSSD（Solid State Drive）のような非可搬性の記憶部が構成されてもよい。
【０４１７】
制御部９７０は、CPUなどのプロセッサ、並びにRAM及びROMなどのメモリを有する。メモリは、CPUにより実行されるプログラム、及びプログラムデータなどを記憶する。メモリにより記憶されるプログラムは、例えば、撮像装置９６０の起動時にCPUにより読み込まれ、実行される。CPUは、プログラムを実行することにより、例えばユーザインタフェース９７１から入力される操作信号に応じて、撮像装置９６０の動作を制御する。
【０４１８】
ユーザインタフェース９７１は、制御部９７０と接続される。ユーザインタフェース９７１は、例えば、ユーザが撮像装置９６０を操作するためのボタン及びスイッチなどを有する。ユーザインタフェース９７１は、これら構成要素を介してユーザによる操作を検出して操作信号を生成し、生成した操作信号を制御部９７０へ出力する。
【０４１９】
このように構成された撮像装置９６０において、画像処理部９６４は、上述した実施形態に係る画像符号化装置及び画像復号装置の機能を有する。それにより、撮像装置９６０での画像の符号化及び復号に際して、符号量を削減することができる。
【０４２０】
なお、本明細書では、適応オフセットフィルタの各パラメータ等の各種情報が、符号化ストリームに多重化されて、符号化側から復号側へ伝送される例について説明した。しかしながら、これら情報を伝送する手法はかかる例に限定されない。例えば、これら情報は、符号化ビットストリームに多重化されることなく、符号化ビットストリームと関連付けられた別個のデータとして伝送され又は記録されてもよい。ここで、「関連付ける」という用語は、ビットストリームに含まれる画像（スライス若しくはブロックなど、画像の一部であってもよい）と当該画像に対応する情報とを復号時にリンクさせ得るようにすることを意味する。即ち、情報は、画像（又はビットストリーム）とは別の伝送路上で伝送されてもよい。また、情報は、画像（又はビットストリーム）とは別の記録媒体（又は同一の記録媒体の別の記録エリア）に記録されてもよい。さらに、情報と画像（又はビットストリーム）とは、例えば、複数フレーム、１フレーム、又はフレーム内の一部分などの任意の単位で互いに関連付けられてよい。
【０４２１】
以上、添付図面を参照しながら本開示の好適な実施形態について詳細に説明したが、本開示はかかる例に限定されない。本開示の属する技術の分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【０４２２】
なお、本技術は以下のような構成も取ることができる。
（１）  適応オフセットフィルタのタイプを画像のコンポーネント間で共通に設定する設定部と、
前記設定部により設定された適応オフセットフィルタのタイプに従って、前記画像を符号化する際にローカル復号処理された画像に適応オフセットフィルタを行う適応オフセットフィルタ部と、
前記適応オフセットフィルタ部により適応オフセットフィルタが行われた画像を用いて、前記画像を符号化処理して、符号化ストリームを生成する符号化部と
を備える画像処理装置。
（２）  前記設定部は、前記適応オフセットフィルタのタイプを、前記画像の輝度成分と色差成分とで共通に設定する
前記（１）に記載の画像処理装置。
（３）  前記設定部は、前記適応オフセットフィルタのタイプを、前記画像の色差成分間で共通に設定する
前記（１）に記載の画像処理装置。
（４）  前記設定部は、前記適応オフセットフィルタのタイプを、第１の色差成分と第２の色差成分とで共通に設定する
前記（３）に記載の画像処理装置。
（５）  前記設定部は、前記第１の色差成分に対する適応オフセットフィルタのタイプをバンドオフセットに設定する場合に、前記第２の色差成分に対する適応オフセットフィルタのタイプをバンドオフセットに設定する
前記（４）に記載の画像処理装置。
（６）  前記設定部は、前記第１の色差成分に対する適応オフセットフィルタのタイプをエッジオフセットに設定する場合に、前記第２の色差成分に対する適応オフセットフィルタのタイプをエッジオフセットに設定する
前記（４）に記載の画像処理装置。
（７）  前記設定部は、前記適応オフセットフィルタのタイプをエッジオフセットに設定する場合に、エッジオフセットのパターン規則を前記画像の色差成分間で共通に設定する
前記（４）に記載の画像処理装置。
（８）  前記設定部は、前記第１の色差成分に対する適応オフセットフィルタのタイプをエッジオフセットの１次元パターンに設定する場合に、前記第２の色差成分に対する適応オフセットフィルタのタイプをエッジオフセットの１次元パターンに設定する
前記（７）に記載の画像処理装置。
（９）  前記設定部は、前記第１の色差成分に対するオフセットフィルタのタイプをエッジオフセットの２次元パターンに設定する場合に、前記第２の色差成分に対するオフセットフィルタのタイプをエッジオフセットの２次元パターンに設定する
前記（７）に記載の画像処理装置。
（１０）  前記設定部は、前記第１の色差成分に対するオフセットフィルタのタイプを、オフセットを適用しないタイプに設定する場合に、前記第２の色差成分に対するオフセットフィルタのタイプを、オフセットを適用しないタイプに設定する
前記（４）に記載の画像処理装置。
（１１）  前記画像のカラースペースは、Ｙ／Ｃｂ／Ｃｒフォーマットである
前記（１）乃至（１０）のいずれかに記載の画像処理装置。
（１２）  ローカル復号処理された画像にデブロッキングフィルタを行うデブロッキングフィルタ部を
さらに備え、
前記適応オフセットフィルタ部は、前記デブロッキングフィルタ部によりデブロッキングフィルタが行われた画像に適応オフセットフィルタを行う
前記（１）乃至（１１）のいずれかに記載の画像処理装置。
（１３）  前記設定部は、Current符号化単位に隣接する隣接符号化単位と同じオフセットである場合に、前記隣接符号化単位のオフセットを、Current符号化単位として設定する
前記（１）乃至（１２）のいずれかに記載の画像処理装置。
（１４）  適応オフセットフィルタのタイプを画像のコンポーネント間で共通に設定し、
設定された適応オフセットフィルタのタイプに従って、前記画像を符号化する際にローカル復号処理された画像に適応オフセットフィルタを行い、
適応オフセットフィルタが行われた画像を用いて、前記画像を符号化処理して、符号化ストリームを生成する
画像処理方法。
（１５）  画像のコンポーネント間で共通である適応オフセットフィルタのタイプを示すタイプ情報を設定する設定部と、
画像のコンポーネント間で共通である適応オフセットフィルタのタイプに従って、前記画像を符号化する際にローカル復号処理された画像に適応オフセットフィルタを行う適応オフセットフィルタ部と、
前記適応オフセットフィルタ部により適応オフセットフィルタが行われた画像を用いて、前記画像を符号化処理して、符号化ストリームを生成する符号化部と、
前記設定部により設定されたタイプ情報と、前記符号化部により生成された符号化ストリームとを伝送する伝送部と
を備える画像処理装置。
（１６）  前記適応オフセットフィルタのタイプは、前記画像の色差成分間で共通である
前記（１５）に記載の画像処理装置。
（１７）  前記適応オフセットフィルタのタイプは、第１の色差成分と第２の色差成分とで共通である
前記（１６）に記載の画像処理装置。
（１８）  前記設定部は、前記タイプ情報を、最大符号化単位毎に設定する
前記（１５）乃至（１７）のいずれかに記載の画像処理装置。
（１９）  ローカル復号処理された画像にデブロッキングフィルタを行うデブロッキングフィルタ部を
さらに備え、
前記適応オフセットフィルタ部は、前記デブロッキングフィルタ部によりデブロッキングフィルタが行われた画像に適応オフセットフィルタを行う
前記（１５）乃至（１８）のいずれかに記載の画像処理装置。
（２０）  画像のコンポーネント間で共通である適応オフセットフィルタのタイプを示すタイプ情報を設定し、
画像のコンポーネント間で共通である適応オフセットフィルタのタイプに従って、前記画像を符号化する際にローカル復号処理された画像に適応オフセットフィルタを行い、
適応オフセットフィルタが行われた画像を用いて、前記画像を符号化処理して、符号化ストリームを生成し、
設定されたタイプ情報と、生成された符号化ストリームとを伝送する
画像処理方法。
【符号の説明】
【０４２３】
１１  画像符号化装置，  ２６  可逆符号化部，  ３１  デブロッキングフィルタ，  ４１  適応オフセットフィルタ，  ４２  適応ループフィルタ，  ５１  画像復号装置，  ６２  可逆復号部，  ６６  デブロッキングフィルタ，  ８１  適応オフセットフィルタ，  ８２  適応ループフィルタ，  １１１  SAOフラグ，  １１２  タイプ設定部，  １１３  オフセット設定部，  １１４  SAO制御情報設定部，  １１５  オフセットバッファ，  １１６  フィルタ処理部，  １１７  画像バッファ，  １４１  タイプ設定部，  １５１  Ｙタイプ設定部，  １５２  Ｃｍタイプ設定部，  １６１  シンタクス書き込み部，  ２１１  シンタクス取得部，  ２２１  SAOフラグ受け取り部，  ２２２  タイプ受け取り部，  ２２３  マージフラグ受け取り部，  ２２４  オフセットバッファ，  ２２５  オフセット受け取り部，  ２２６  フィルタ処理部，  ２２７  画像バッファ，  ２４１  シンタクス取得部，  ２５１  タイプ受け取り部，  ２６１  Ｙタイプ受け取り部，  ２６２  Ｃｍタイプ受け取り部
【図１】
2014002822.tif 000003
【図２】
2014002822.tif 000004
【図３】
2014002822.tif 000005
【図４】
2014002822.tif 000006
【図５】
2014002822.tif 000007
【図６】
2014002822.tif 000008
【図７】
2014002822.tif 000009
【図８】
2014002822.tif 000010
【図９】
2014002822.tif 000011
【図１０】
2014002822.tif 000012
【図１１】
2014002822.tif 000013
【図１２】
2014002822.tif 000014
【図１３】
2014002822.tif 000015
【図１４】
2014002822.tif 000016
【図１５】
2014002822.tif 000017
【図１６】
2014002822.tif 000018
【図１７】
2014002822.tif 000019
【図１８】
2014002822.tif 000020
【図１９】
2014002822.tif 000021
【図２０】
2014002822.tif 000022
【図２１】
2014002822.tif 000023
【図２２】
2014002822.tif 000024
【図２３】
2014002822.tif 000025
【図２４】
2014002822.tif 000026
【図２５】
2014002822.tif 000027
【図２６】
2014002822.tif 000028
【図２７】
2014002822.tif 000029
【図２８】
2014002822.tif 000030
【図２９】
2014002822.tif 000031
【図３０】
2014002822.tif 000032
【図３１】
2014002822.tif 000033
【手続補正書】
【提出日】平成25年9月18日(2013.9.18)
【手続補正１】
【補正対象書類名】特許請求の範囲
【補正対象項目名】全文
【補正方法】変更
【補正の内容】
【特許請求の範囲】
【請求項１】
（削除）
【請求項２】
（削除）
【請求項３】
（削除）
【請求項４】
（削除）
【請求項５】
（削除）
【請求項６】
（削除）
【請求項７】
（削除）
【請求項８】
（削除）
【請求項９】
（削除）
【請求項１０】
（削除）
【請求項１１】
（削除）
【請求項１２】
（削除）
【請求項１３】
（削除）
【請求項１４】
（削除）
【請求項１５】
画像の第１の色差成分の適応オフセットフィルタのタ  イプと前記画像の第２の色差成分の適応オフセットフィルタのタイプとで共通のタイプを示すタイプ情報を設定する設定部と、
画像を符号化する際にローカル復号処理された画像に適応オフセットフィルタを行う適応オフセットフィルタ部と、
前記適応オフセットフィルタ部により適応オフセットフィルタが行われた画像を用いて、前記画像を符号化処理して、符号化ストリームを生成する符号化部と、
前記設定部により設定されたタイプ情報と、前記符号化部により生成された符号化ストリームとを伝送する伝送部と
を備える画像処理装置。
【請求項１６】
前記設定部は、前記画像の第１の色差成分の適応オフセットフィルタのタイプを示す第１のタイプ情報と前記画像の第２の色差成分の適応オフセットフィルタのタイプを示す第２のタイプ情報とを共通化した情報を、前記タイプ情報として設定する
請求項１５に記載の画像処理装置。
【請求項１７】
前記設定部は、前記画像の第１の色差成分の適応オフセットフィルタのタイプを示す第１のタイプ情報と前記画像の第２の色差成分の適応オフセットフィルタのタイプを示す第２のタイプ情報とを共通化して、最大符号化単位毎に設定する
請求項１６に記載の画像処理装置。
【請求項１８】
前記伝送部は、前記画像の第１の色差成分の適応オフセットフィルタのタイプを示す第１のタイプ情報と前記画像の第２の色差成分の適応オフセットフィルタのタイプを示す第２のタイプ情報とを、前記設定部により設定されたタイプ情報として共通化して伝送する
請求項１６に記載の画像処理装置。
【請求項１９】
前記伝送部は、前記画像の第１の色差成分の適応オフセットフィルタのタイプを示す第１のタイプ情報と前記画像の第２の色差成分の適応オフセットフィルタのタイプを示す第２のタイプ情報とを共通化して、前記符号化ストリームのシンタクスとして伝送する
請求項１８に記載の画像処理装置。
【請求項２０】
前記設定部は、前記画像の第１の色差成分の適応オフセットフィルタのタイプと前記画像の第２の色差成分の適応オフセットフィルタのタイプが共通してバンドオフセットであることを示す情報を、前記タイプ情報として設定する
請求項１５に記載の画像処理装置。
【請求項２１】
前記設定部は、前記画像の第１の色差成分の適応オフセットフィルタのタイプと前記画像の第２の色差成分の適応オフセットフィルタのタイプが共通してエッジオフセットであることを示す情報を、前記タイプ情報として設定する
請求項１５に記載の画像処理装置。
【請求項２２】
前記設定部は、前記画像の第１の色差成分の適応オフセットフィルタのタイプと前記画像の第２の色差成分の適応オフセットフィルタのタイプが共通してエッジオフセットのパターン規則であることを示す情報を、前記タイプ情報として設定する
請求項２１に記載の画像処理装置。
【請求項２３】
前記設定部は、前記画像の第１の色差成分の適応オフセットフィルタのタイプと前記画像の第２の色差成分の適応オフセットフィルタのタイプが共通してエッジオフセットの１次元パターン規則であることを示す情報を、前記タイプ情報として設定する
請求項２２に記載の画像処理装置。
【請求項２４】
前記設定部は、前記画像の第１の色差成分の適応オフセットフィルタのタイプと前記画像の第２の色差成分の適応オフセットフィルタのタイプが共通してエッジオフセットの２次元パターン規則であることを示す情報を、前記タイプ情報として設定する
請求項２２に記載の画像処理装置。
【請求項２５】
前記設定部は、前記画像の第１の色差成分の適応オフセットフィルタのタイプと前記画像の第２の色差成分の適応オフセットフィルタのタイプが共通してオフセットを適用しないタイプであることを示す情報を、前記タイプ情報として設定する
請求項１５に記載の画像処理装置。
【請求項２６】
前記画像のカラースペースは、Ｙ／Ｃｂ／Ｃｒフォーマットである
請求項１５に記載の画像処理装置。
【請求項２７】
前記符号化部は、前記画像を、階層構造を有する単位で符号化する
請求項１５に記載の画像処理装置。
【請求項２８】
ローカル復号処理された画像にデブロッキングフィルタを行うデブロッキングフィルタ部を
さらに備え、
前記適応オフセットフィルタ部は、前記デブロッキングフィルタ部によりデブロッキングフィルタが行われた画像に適応オフセットフィルタを行う
請求項１５に記載の画像処理装置。
【請求項２９】
画像の第１の色差成分の適応オフセットフィルタのタイプと前記画像の第２の色差成分の適応オフセットフィルタのタイプとで共通のタイプを示すタイプ情報を設定し、
画像を符号化する際にローカル復号処理された画像に適応オフセットフィルタを行い、
適応オフセットフィルタが行われた画像を用いて、前記画像を符号化処理して、符号化ストリームを生成し、
設定されたタイプ情報と、生成された符号化ストリームとを伝送する
画像処理方法。
【国際調査報告】
2014002822.tif 000034
2014002822.tif 000035
2014002822.tif 000036
2014002822.tif 000037